(57)【要約】  本発明は、データ共有チャネルの伝送パラメーターの決定方法、装置及びシステムを提供する。この方法は、データ共有チャネルの伝送パラメーターを決定するためのフィールドを含むダウンリンク制御情報を受信するステップと、フィールドに基づいて伝送パラメーターを決定するステップと、を含む。本発明によれば、従来技術においてＮＢ−ＩＯＴシステムのデータ共有チャネルの伝送パラメーターを効果的に決定できない問題を解決した。この方法は、互換性を維持する条件下で、ＨＡＲＱ再送又は繰り返し伝送の性能を効果的に改善し、シグナリングオーバーヘッドを可能な限り減少した。
2019511155.tif 000002
【特許請求の範囲】
【請求項１】
データ共有チャネルの伝送パラメーターを決定するためのフィールドを含むダウンリンク制御情報を受信し、ここで、前記伝送パラメーターは、変調方式、伝送ブロックサイズＴＢＳ、レートマッチング後の系列長、冗長バージョン、繰り返し回数のうちの少なくとも１つを含み、前記フィールドは、変調及び符号化方式ＭＣＳ指示フィールド、ＴＢＳ指示フィールド、リソース割り当てフィールド、繰り返し回数指示フィールドのうちの少なくとも１つを含み、前記ＭＣＳ指示フィールドは、符号化変調方式を指示するためのものであり、前記ＴＢＳ指示フィールドは、ＴＢＳを指示するためのものであり、前記リソース割り当てフィールドは、伝送ブロックＴＢのリソースユニットＲＵのリソース割り当てに基づく情報を指示するためのものであり、前記繰り返し回数指示フィールドは、繰り返し伝送回数を指示するためのものであるステップと、
前記フィールドに基づいて前記伝送パラメーターを決定するステップと、を含む
データ共有チャネルの伝送パラメーターの決定方法。
【請求項２】
前記フィールドが前記ＴＢＳ指示フィールド及び前記リソース割り当てフィールドを含む場合、前記フィールドに基づいて前記伝送パラメーターを決定するステップは、
前記ＴＢＳ指示フィールド及び前記リソース割り当てフィールドに基づいて前記変調方式を決定するステップを含む
請求項１に記載の方法。
【請求項３】
前記ＴＢＳ指示フィールド及び前記リソース割り当てフィールドに基づいて前記変調方式を決定するステップは、
前記ＴＢＳ指示フィールド、前記リソース割り当てフィールド、多元接続方式及びアップダウンリンク方式に基づいて前記変調方式を決定するステップを含む
請求項２に記載の方法。
【請求項４】
前記ＴＢＳ指示フィールド、前記リソース割り当てフィールド、多元接続方式及びアップダウンリンク方式に基づいて前記変調方式を決定するステップは、
アップリンク、シングルトーン多元接続の場合、前記ＴＢＳ指示フィールド及び前記リソース割り当てフィールドに基づき、第１の変調方式集合から前記変調方式を選択し、ここで、前記第１の変調方式集合は、ｐｉ／２  ＢＰＳＫ変調方式及びｐｉ／４  ＱＰＳＫ変調方式を含むステップと、
アップリンク、マルチトーン多元接続の場合、前記ＴＢＳ指示フィールド及び前記リソース割り当てフィールドに基づき、第２の変調方式集合から前記変調方式を選択し、ここで、前記第２の変調方式集合は、ＱＰＳＫ変調方式、ＴＰＳＫ変調方式、８−ＢＰＳＫ変調方式のうちの少なくとも１つを含むステップと、
ダウンリンク、ＯＦＤＭＡ多元接続の場合、前記ＴＢＳ指示フィールド及び前記リソース割り当てフィールドに基づき、第３の変調方式集合から前記変調方式を選択し、ここで、前記第３の変調方式集合は、ＱＰＳＫ変調方式、１６ＱＡＭ変調方式のうちの少なくとも１つを含むステップと、を含む
請求項３に記載の方法。
【請求項５】
前記フィールドが前記ＴＢＳ指示フィールド及び前記リソース割り当てフィールドを含む場合、前記フィールドに基づいて前記伝送パラメーターを決定するステップは、
前記ＴＢＳ指示フィールド及び前記リソース割り当てフィールドに基づいて前記冗長バージョン又は前記繰り返し回数を決定するステップを含む
請求項１に記載の方法。
【請求項６】
前記フィールドが前記ＭＣＳ指示フィールド及び前記リソース割り当てフィールドを含む場合、前記フィールドに基づいて前記伝送パラメーターを決定するステップは、
前記ＭＣＳ指示フィールド及び前記リソース割り当てフィールドに基づいて前記変調方式及び／又は前記ＴＢＳを決定するステップを含む
請求項１に記載の方法。
【請求項７】
前記ＭＣＳ指示フィールド及び前記リソース割り当てフィールドに基づいて前記変調方式及び／又は前記ＴＢＳを決定するステップは、
前記ＭＣＳ指示フィールド、前記リソース割り当てフィールド、多元接続方式及びアップダウンリンク方式に基づいて前記変調方式及び／又は前記ＴＢＳを決定するステップを含む
請求項６に記載の方法。
【請求項８】
前記ＭＣＳ指示フィールド、前記リソース割り当てフィールド、多元接続方式及びアップダウンリンク方式に基づいて前記変調方式及び／又は前記ＴＢＳを決定するステップは、
アップリンク、シングルトーン多元接続の場合、前記ＭＣＳ指示フィールド及び前記リソース割り当てフィールドに基づき、第３の変調方式集合から前記変調方式及び／又は前記ＴＢＳを選択し、ここで、前記第３の変調方式集合は、ｐｉ／２  ＢＰＳＫ変調方式及びｐｉ／４  ＱＰＳＫ変調方式を含むステップと、
アップリンク、マルチトーン多元接続の場合、前記ＭＣＳ指示フィールド及び前記リソース割り当てフィールドに基づき、第４の変調方式集合から前記変調方式及び／又は前記ＴＢＳを選択し、ここで、前記第４の変調方式集合は、ＱＰＳＫ変調方式、ＴＰＳＫ変調方式、８−ＢＰＳＫ変調方式のうちの少なくとも１つを含むステップと、
ダウンリンク、ＯＦＤＭＡ多元接続の場合、前記ＭＣＳ指示フィールド及び前記リソース割り当てフィールドに基づき、第５の変調方式集合から前記変調方式及び／又は前記ＴＢＳを選択し、ここで、第５の変調方式集合は、ＱＰＳＫ変調方式、１６ＱＡＭ変調方式のうちの少なくとも１つを含むステップと、を含む
請求項７に記載の方法。
【請求項９】
前記フィールドが前記ＭＣＳ指示フィールド及び前記リソース割り当てフィールドを含む場合、前記フィールドに基づいて前記伝送パラメーターを決定するステップは、
前記ＭＣＳ指示フィールド及び／又は前記リソース割り当てフィールドに基づいて前記冗長バージョン又は前記繰り返し回数を決定するステップを含む
請求項１に記載の方法。
【請求項１０】
前記冗長バージョンは、集合｛０，１｝又は｛０，１，２，３｝のうちの１つの要素である
請求項１〜９のいずれか１項に記載の方法。
【請求項１１】
前記フィールドに基づいて前記伝送パラメーターを決定するステップは、
前記フィールド及び予定ＴＢＳテーブルに基づいて前記ＴＢＳを決定するステップを含む
請求項１に記載の方法。
【請求項１２】
前記予定ＴＢＳテーブルは、１次元テーブル又は２次元テーブルを含み、ここで、
前記予定ＴＢＳテーブルが１次元テーブルである場合、前記１次元テーブルの行又は列のインデックスが１つのＴＢＳインデックスに対応し、各前記ＴＢＳは１つの前記ＴＢＳインデックスに対応し、
前記予定ＴＢＳテーブルが２次元テーブルである場合、前記２次元テーブルの各行が１つのＴＢＳインデックスに対応し、前記２次元テーブルの各列が１つのリソース要素数に対応し、各前記ＴＢＳは１つの前記ＴＢＳインデックス及び１つの前記リソース要素数に対応する
請求項１１に記載の方法。
【請求項１３】
前記フィールド及び予定ＴＢＳテーブルに基づいてＴＢＳを決定する前、前記方法は、
下記の方式によって前記予定ＴＢＳテーブルを決定するステップをさらに含み、
第１の条件下で第１のＴＢＳテーブルを前記予定ＴＢＳテーブルとし、第２の条件下で第２のＴＢＳテーブルを前記予定ＴＢＳテーブルとし、ここで、前記第１のＴＢＳテーブル及び前記第２のＴＢＳテーブルは異なるＴＢＳテーブルであり、
ここで、前記第１の条件及び前記第２の条件は、
前記第１の条件がアップリンク、シングルトーン多元接続であり、前記第２の条件がアップリンク、マルチトーン多元接続である条件、
前記第１の条件がアップリンク、シングルトーン多元接続であり、前記第２の条件がダウンリンク、ＯＦＤＭＡ多元接続である条件、
第１の条件が第１のカバレッジレベルであり、前記第２の条件が第２のカバレッジレベルであり、且つ、前記第１のカバレッジレベルと前記第２のカバレッジレベルとは異なっている条件、
前記第１の条件がインバンド操作モードであり、前記第２の条件がスタンドアロン操作モード又はガードバンド操作モードである条件、
前記第１の条件がアップリンク、マルチトーン多元接続であり、前記第２の条件がダウンリンク、ＯＦＤＭＡ多元接続である条件、
前記第１の条件が帯域幅３．７５ｋＨｚのシングルトーン多元接続であり、前記第２の条件が帯域幅１５ｋＨｚのシングルトーン多元接続である条件、
前記第１の条件が５Ｇの増強移動帯域幅ｅＭＢＢシーンであり、前記第２の条件が５Ｇの超高信頼性と超低遅延通信ＵＲＬＬＣ又は大容量マシンタイプ通信ｍＭＴＣシーンである条件、
前記第１の条件が第１のプロトコルバージョンであり、前記第２の条件が第２のプロトコルバージョンである条件、
前記第１の条件が第１のユーザ能力であり、前記第２の条件が第２のユーザ能力である条件、
前記第１の条件が初回伝送であり、前記第２の条件が繰り返し伝送である条件、
前記第１の条件が第１のダウンリンク制御情報フォーマットであり、前記第２の条件が第２のダウンリンク制御情報フォーマットである条件のうちの少なくとも１つを含む
請求項１１に記載の方法。
【請求項１４】
前記第１のＴＢＳテーブル及び前記第２のＴＢＳテーブルが異なるＴＢＳテーブルである場合は、
前記第１のＴＢＳテーブルがサポートするＴＢＳインデックス集合及び前記第２のＴＢＳテーブルがサポートするＴＢＳインデックス集合が同じであって、前記第１のＴＢＳテーブルがサポートするＲＵ数集合と前記第２のＴＢＳテーブルのＲＵ数集合とが異なる場合、
前記第１のＴＢＳテーブルがサポートするＴＢＳインデックス集合と前記第２のＴＢＳテーブルがサポートするＴＢＳインデックス集合とが異なって、前記第１のＴＢＳテーブルがサポートするＲＵ数集合及び前記第２のＴＢＳテーブルがサポートするＲＵ数集合が同じである場合、
前記第１のＴＢＳテーブルがサポートするＴＢＳインデックス集合と前記第２のＴＢＳテーブルがサポートするＴＢＳインデックス集合とが異なって、前記第１のＴＢＳテーブルがサポートするＲＵ数集合と前記第２のＴＢＳテーブルのＲＵ数集合とも異なる場合、
同じ行列位置上で、前記第１のＴＢＳテーブルがサポートするＴＢＳ及び前記第２のＴＢＳテーブルがサポートするＴＢＳが予定比例関係を満たす場合、
前記第１のＴＢＳテーブルがサポートするＴＢＳが前記第２のＴＢＳテーブルがサポートするＴＢＳの部分集合である場合のうちの少なくとも１つを含む
請求項１３に記載の方法。
【請求項１５】
前記第１のＴＢＳテーブルがサポートするＲＵ数集合と前記第２のＴＢＳテーブルのＲＵ数集合とが異なる場合は、前記第１のＴＢＳテーブルのＲＵ数集合が前記第２のＴＢＳのＲＵ数集合の部分集合である場合、同じ列に関して、前記第１のＴＢＳテーブルのＲＵ数が前記第２のＴＢＳのＲＵ数の倍数である場合のうちの少なくとも１つを含み、
前記第１のＴＢＳテーブルがサポートするＴＢＳインデックス集合と前記第２のＴＢＳテーブルがサポートするＴＢＳインデックス集合とが異なる場合は、前記第１のＴＢＳテーブルがサポートするＴＢＳインデックス集合が前記第２のＴＢＳテーブルがサポートするＴＢＳインデックス集合の部分集合である場合を含み、
同じ行列位置上で、前記第１のＴＢＳテーブルがサポートするＴＢＳ及び前記第２のＴＢＳテーブルがサポートするＴＢＳが予定比例関係を満たす場合は、ＴＢＳ１（ｉ，ｊ）が空ではなく、且つ、ＴＢＳ２（ｉ，ｊ）が空ではない場合、ＴＢＳ２（ｉ，ｊ）／ＴＢＳ１（ｉ，ｊ）＝ａ＋ｅであり、ただし、ａは実定数であり、ｅはａ／１０以下の実数であり、ｅは誤差を示し、ｉは行インデックスを示し、ｊは列インデックスを示し、ＴＢＳ１（ｉ，ｊ）は前記第１のＴＢＳテーブルの第ｉ行及び第ｊ列のＴＢＳを示し、ＴＢＳ２（ｉ，ｊ）は前記第２のＴＢＳテーブルの第ｉ行及び第ｊ列のＴＢＳを示す場合を含む
請求項１４に記載の方法。
【請求項１６】
前記フィールドが前記リソース割り当てフィールド及び前記繰り返し回数指示フィールドを含む場合、前記フィールドに基づいて前記伝送パラメーターを決定するステップは、
前記リソース割り当てフィールド、前記繰り返し回数指示フィールド及び／又はカバレッジレベルモードに基づいて前記レートマッチング後の系列長を決定するステップを含む
請求項１に記載の方法。
【請求項１７】
前記リソース割り当てフィールド、前記繰り返し回数指示フィールド及び／又はカバレッジレベルモードに基づいて前記レートマッチング後の系列長を決定するステップは、
変調次数、１つの伝送ブロックが占用するリソース要素数、繰り返し回数Ｎｒに基づいて前記レートマッチング後の系列長を決定する場合、
変調次数、１つの伝送ブロックが占用するリソース要素数、繰り返し回数の因子Ｎｒ１に基づいて前記レートマッチング後の系列長を決定し、ただし、前記繰り返し回数Ｎｒ＝Ｎｒ１×Ｎｒ２であり、Ｎｒ１及びＮｒ２は２以上の整数である場合のうちの少なくとも１つを含む
請求項１６に記載の方法。
【請求項１８】
前記フィールドに基づいて前記伝送パラメーターを決定するステップは、
前記フィールド及び予定ＴＢＳテーブルに基づいて前記変調方式を決定するステップを含む
請求項１に記載の方法。
【請求項１９】
前記フィールドが前記リソース割り当てフィールドを含む場合、前記フィールド及び予定ＴＢＳテーブルに基づいて前記変調方式を決定するステップは、
前記リソース割り当てフィールドに基づいて現在の物理ダウンリンク共有チャネルＰＤＳＣＨ伝送が占用する物理リソースブロックの数ＮRUを決定するステップと、
前記予定ＴＢＳテーブルに基づいて前記ＴＢＳを決定するステップと、
前記ＮRU及び前記ＴＢＳに基づいてスペクトル効率を決定するステップと、
前記スペクトル効率に基づいて前記変調方式を決定するステップと、を含む
請求項１８に記載の方法。
【請求項２０】
前記ＮRU及び前記ＴＢＳに基づいてスペクトル効率を決定するステップは、
下記式に従って前記スペクトル効率ηを計算するステップを含み、
【数１】
2019511155.tif 000018
ただし、前記Ｘcrc は前記現在のＰＤＳＣＨ伝送が占用する物理リソースブロックの巡回冗長検査符号ＣＲＣビット数である
請求項１９に記載の方法。
【請求項２１】
前記スペクトル効率に基づいて前記変調方式を決定するステップは、
前記スペクトル効率が予定範囲を満たすか否かを判断するステップと、
前記スペクトル効率が前記予定範囲を満たす場合、前記予定範囲に対応する変調方式を前記変調方式として決定するステップと、を含む
請求項２０に記載の方法。
【請求項２２】
前記スペクトル効率が前記予定範囲を満たす場合、前記予定範囲に対応する変調方式を前記変調方式として決定するステップは、
η≦η0 の場合、Ｑm ＝１であるステップと、
η≧η0 の場合、Ｑm ＝２であるステップと、を含み、
ただし、前記η0 は予定のスペクトル効率閾値であり、前記Ｑm は再送変調次数を示す
請求項２１に記載の方法。
【請求項２３】
前記ＲＵは、周波数領域上で連続するＮｓｃ個のサブキャリア及び時間領域上で連続するＮｓｙｍ個の基本時間領域シンボルユニットを含む時間周波数２次元リソースであり、各前記ＲＵはＮｓｃ＊Ｎｓｙｍ個のリソース要素を含み、前記Ｎｓｃ及び前記Ｎｓｙｍはいずれも１以上の整数である
請求項１に記載の方法。
【請求項２４】
前記フィールドが前記ＴＢＳ指示フィールドを含む場合、前記フィールドに基づいて前記伝送パラメーターを決定するステップは、
前記ＴＢＳ指示フィールド及び前記リソース要素の数に基づいて前記ＴＢＳを決定するステップを含む
請求項２３に記載の方法。
【請求項２５】
前記フィールドが前記ＴＢＳ指示フィールドを含む場合、前記フィールドに基づいて前記伝送パラメーターを決定するステップは、
初回ＨＡＲＱ伝送の場合、前記ＴＢＳ指示フィールド内の同じＴＢＳインデックスに基づいて前記ＴＢＳを決定するステップと、ＨＡＲＱ再送の場合、前記ＴＢＳ指示フィールド内の同じＴＢＳインデックスに基づいて前記ＨＡＲＱ再送の冗長バージョン又は変調次数を決定するステップと、を含む
請求項１に記載の方法。
【請求項２６】
前記フィールドが前記ＭＣＳ指示フィールドを含む場合、前記フィールドに基づいて前記伝送パラメーターを決定するステップは、
初回ＨＡＲＱ伝送の場合、前記ＭＣＳ指示フィールド内の同じＭＣＳインデックスに基づいてＭＣＳレベルを決定するステップと、
ＨＡＲＱ再送の場合、前記ＭＣＳ指示フィールド内の同じＭＣＳインデックスに基づいて前記ＨＡＲＱ再送の冗長バージョン又は変調次数を決定するステップと、を含む
請求項１に記載の方法。
【請求項２７】
データ共有チャネルの伝送パラメーターを決定するためのフィールドを取得し、ここで、前記伝送パラメーターは、変調方式、伝送ブロックサイズＴＢＳ、レートマッチング後の系列長、冗長バージョン、繰り返し回数のうちの少なくとも１つを含み、前記フィールドは、変調及び符号化方式ＭＣＳ指示フィールド、ＴＢＳ指示フィールド、リソース割り当てフィールド、繰り返し回数指示フィールドのうちの少なくとも１つを含み、前記ＭＣＳ指示フィールドは、符号化変調方式を指示するためのものであり、前記ＴＢＳ指示フィールドは、ＴＢＳを指示するためのものであり、前記リソース割り当てフィールドは、伝送ブロックＴＢのリソースユニットＲＵのリソース割り当てに基づく情報を指示するためのものであり、前記繰り返し回数指示フィールドは、繰り返し伝送回数を指示するためのものであるステップと、
前記データ共有チャネルの伝送パラメーターを決定するためのフィールドを含むダウンリンク制御情報を送信し、前記フィールドに基づいて前記伝送パラメーターを決定するステップと、を含む
データ共有チャネルの伝送パラメーターの決定方法。
【請求項２８】
データ共有チャネルの伝送パラメーターを決定するためのフィールドを含むダウンリンク制御情報を受信し、ここで、前記伝送パラメーターは、変調方式、伝送ブロックサイズＴＢＳ、レートマッチング後の系列長、冗長バージョン、繰り返し回数のうちの少なくとも１つを含み、前記フィールドは、変調及び符号化方式ＭＣＳ指示フィールド、ＴＢＳ指示フィールド、リソース割り当てフィールド、繰り返し回数指示フィールドのうちの少なくとも１つを含み、前記ＭＣＳ指示フィールドは、符号化変調方式を指示するためのものであり、前記ＴＢＳ指示フィールドは、ＴＢＳを指示するためのものであり、前記リソース割り当てフィールドは、伝送ブロックＴＢのリソースユニットＲＵのリソース割り当てに基づく情報を指示するためのものであり、前記繰り返し回数指示フィールドは、繰り返し伝送回数を指示するためのものであるように構成される受信モジュールと、
前記フィールドに基づいて前記伝送パラメーターを決定するように構成される決定モジュールと、を備える
データ共有チャネルの伝送パラメーターの決定装置。
【請求項２９】
データ共有チャネルの伝送パラメーターを決定するためのフィールドを取得し、ここで、前記伝送パラメーターは、変調方式、伝送ブロックサイズＴＢＳ、レートマッチング後の系列長、冗長バージョン、繰り返し回数のうちの少なくとも１つを含み、前記フィールドは、変調及び符号化方式ＭＣＳ指示フィールド、ＴＢＳ指示フィールド、リソース割り当てフィールド、繰り返し回数指示フィールドのうちの少なくとも１つを含み、前記ＭＣＳ指示フィールドは、符号化変調方式を指示するためのものであり、前記ＴＢＳ指示フィールドは、ＴＢＳを指示するためのものであり、前記リソース割り当てフィールドは、伝送ブロックＴＢのリソースユニットＲＵのリソース割り当てに基づく情報を指示するためのものであり、前記繰り返し回数指示フィールドは、繰り返し伝送回数を指示するためのものであるように構成される取得モジュールと、
前記データ共有チャネルの伝送パラメーターを決定するためのフィールドを含むダウンリンク制御情報を送信し、前記フィールドに基づいて前記伝送パラメーターを決定するように構成される送信モジュールと、を備える
データ共有チャネルの伝送パラメーターの決定装置。
【請求項３０】
データ共有チャネルの伝送パラメーターを決定するためのフィールドを取得し、前記データ共有チャネルの伝送パラメーターを決定するためのフィールドを含むダウンリンク制御情報を送信し、前記フィールドに基づいて前記伝送パラメーターを決定し、前記伝送パラメーターは、変調方式、伝送ブロックサイズＴＢＳ、レートマッチング後の系列長、冗長バージョン、繰り返し回数のうちの少なくとも１つを含み、前記フィールドは、変調及び符号化方式ＭＣＳ指示フィールド、ＴＢＳ指示フィールド、リソース割り当てフィールド、繰り返し回数指示フィールドのうちの少なくとも１つを含み、前記ＭＣＳ指示フィールドは、符号化変調方式を指示するためのものであり、前記ＴＢＳ指示フィールドは、ＴＢＳを指示するためのものであり、前記リソース割り当てフィールドは、伝送ブロックＴＢのリソースユニットＲＵのリソース割り当てに基づく情報を指示するためのものであり、前記繰り返し回数指示フィールドは、繰り返し伝送回数を指示するためのものであるように構成される基地局と、
前記ダウンリンク制御情報を受信し、前記ダウンリンク制御情報における前記データ共有チャネルの伝送パラメーターを決定するためのフィールドに基づいて前記伝送パラメーターを決定するように構成される端末と、を備える
データ共有チャネルの伝送パラメーターの決定システム。
【発明の詳細な説明】
【技術分野】
【０００１】
本発明は、通信分野に関し、特にデータ共有チャネルの伝送パラメーターの決定方法、装置及びシステムに関する。
【背景技術】
【０００２】
無線通信システムにおいて、異なるユーザはマルチアクセス技術を利用して無線通信リソースを共有する。一般的なマルチアクセス技術には、周波数分割多元接続（ＦｒｅｑＵＥｎｃｙ  Ｄｉｖｉｓｉｏｎ  Ｍｕｌｔｉｐｌｅｘｉｎｇ  Ａｃｅｓｓ、単にＦＤＭＡと称する）、時間分割多元接続（Ｔｉｍｅ  Ｄｉｖｉｓｉｏｎ  Ｍｕｌｔｉｐｌｅｘｉｎｇ  Ａｃｅｓｓ、単にＴＤＭＡと称する）、符号分割多元接続（Ｃｏｄｅ  Ｄｉｖｉｓｉｏｎ  Ｍｕｌｔｉｐｌｅｘｉｎｇ  Ａｃｅｓｓ、単にＣＤＭＡと称する）、直交周波数分割多元接続（Ｏｒｔｈｏｇｏｎａｌ  ＦｒｅｑＵＥｎｃｙ  Ｄｉｖｉｓｉｏｎ  Ｍｕｌｔｉｐｌｅｘｉｎｇ  Ａｃｅｓｓ、単にＯＦＤＭＡと称する）、シングルキャリア直交周波数分割多元接続（Ｓｉｎｇｌｅ  Ｃａｒｒｉｅｒ−Ｏｒｔｈｏｇｏｎａｌ  ＦｒｅｑＵＥｎｃｙ  Ｄｉｖｉｓｉｏｎ  Ｍｕｌｔｉｐｌｅｘｉｎｇ  Ａｃｅｓｓ、単にＳＣ−ＯＦＤＭＡと称する）等がある。
【０００３】
Ｒｅｌｅａｓｅ−１２バージョンのロングタームエボリューション（Ｌｏｎｇ  Ｔｅｒｍ  Ｅｖｏｌｕｔｉｏｎ、単にＬＴＥと称する）システムでは、アップリンク及びダウンリンクはそれぞれＳＣ−ＯＦＤＭＡ及びＯＦＤＭＡ技術を使用する。Ｒｅｌｅａｓｅ−１３バージョンのＬＴＥでは、狭帯域のモノのインターネット（Ｎａｒｒｏｗ  Ｂａｎｄ−Ｉｎｔｅｒｎｅｔ  ｏｆ  Ｔｈｉｎｇｓ、単にＮＢ−ＩＯＴと称する）技術の研究が始まっている。ＮＢ−ＩＯＴアップリンク伝送は、２つのマルチアクセス技術に関し、即ち、ガウスフィルタ最小シフトキーイング（Ｇａｕｓｓｉａｎ  Ｆｉｌｔｅｒｅｄ  Ｍｉｎｉｍｕｍ  Ｓｈｉｆｔ  Ｋｅｙｉｎｇ、単にＧＭＳＫと称する）変調に基づくＦＤＭＡ技術及びＳＣ−ＯＦＤＭＡ技術に関する。ＧＭＳＫ変調に基づくＦＤＭＡ技術は、ピーク対平均電力比（Ｐｅａｋ  ｔｏ  Ａｖｅｒａｇｅ  Ｐｏｗｅｒ  Ｒａｔｉｏ、単にＰＡＰＲと称する）が低いという特徴を有し、電力増幅効率の向上に有利であり、これにより、端末コストを制限してカバレッジを確保でき、また、タイミング精度に鈍感な利点もあるが、スペクトル効率が比較的低いという欠陥もある。それに対し、ＳＣ−ＯＦＤＭＡは、スペクトル効率が高いという利点を有する。
【０００４】
ＬＴＥアドバンスト（ＬＴＥ−Ａｄｖａｎｃｅｄ、単にＬＴＥ−Ａと称する）システムにおいて、アップリンクにシングルキャリア周波数分割多元接続（Ｓｉｎｇｌｅ−Ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、単にＳＣ−ＦＤＭＡと称する）技術が使用され、ダウンリンクに直交周波数分割多元接続（Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ、単にＯＦＤＭＡと称する）技術が使用される。ＬＴＥ及びＬＴＥ−Ａシステムはすでに世界で最も流行っている第４世代移動通信システムとなっている。
【０００５】
ＬＴＥシステムでは、基地局は、ダウンリンクデータを物理ダウンリンク共有チャネル（Ｐｈｙｓｉｃａｌ  Ｄｏｗｎｌｉｎｋ  Ｓｈａｒｅｄ  Ｃｈａｎｎｅｌ、単にＰＤＳＣＨと称する）を介して端末に送信し、端末は、アップリンクデータを物理アップリンク共有チャネル（Ｐｈｙｓｉｃａｌ  Ｕｐｌｉｎｋ  Ｓｈａｒｅｄ  Ｃｈａｎｎｅｌ、単にＰＵＳＣＨと称する）を介して基地局に送信する。アップリンクで伝送する必要がある制御シグナリングは、肯定/否定応答メッセージ（ＡＣＫ／ＮＡＣＫ：Ａｃｋｎｏｗｌｅｄｇｅｍｅｎｔ／Ｎｅｇａｔｉｖｅ  Ａｃｋｎｏｗｌｅｄｇｅｍｅｎｔ）と、チャネル品質指標（Ｃｈａｎｎｅｌ  ｑｕａｌｉｔｙ  ｉｎｄｉｃａｔｉｏｎ、単にＣＱＩと称する）、プリコーディングマトリクスインジケータ（Ｐｒｅ−ｃｏｄｉｎｇ  Ｍａｔｒｉｘ  Ｉｎｄｉｃａｔｏｒ、単にＰＭＩと称する）、ランクインジケータ（Ｒａｎｋ  Ｉｎｄｉｃａｔｏｒ、単にＲＩと称する）のようなダウンリンク物理チャネル状態情報（Ｃｈａｎｎｅｌ  Ｓｔａｔｅ  Ｉｎｆｏｒｍａｔｉｏｎ、単にＣＳＩと称する）を反映する３つの形式がある。端末（Ｕｓｅｒ  Ｅｑｕｉｐｍｅｎｔ、単にＵＥと称する）は、ＣＳＩを物理アップリンク制御チャネル（Ｐｈｙｓｉｃａｌ  Ｕｐｌｉｎｋ  Ｃｏｎｔｒｏｌ  Ｃｈａｎｎｅｌ、単にＰＵＣＣＨと称する）又は物理ダウンリンク共有チャネル（Ｐｈｙｓｉｃａｌ  Ｕｐｌｉｎｋ  Ｓｈａｒｅｄ  Ｃｈａｎｎｅｌ、単にＰＵＳＣＨと称する）を介して基地局に報告する。
【０００６】
基地局は、ＣＳＩに応じてスケジューリングし、ダウンリンクデータ伝送のリソースサイズ、周波数領域位置、変調符号化方式、多入力多出力（Ｍｕｌｔｉｐｌｅ−Ｉｎｐｕｔ  Ｍｕｌｔｉｐｌｅ−Ｏｕｔｐｕｔ、単にＭＩＭＯと称する）空間多重層数及びプリコーディングマトリクスを決定し、周波数領域位置を指示するＮＰＲＢ個の物理リソースブロック（Ｐｈｙｓｉｃａｌ  Ｒｅｓｏｕｒｃｅ  Ｂｌｏｃｋ、単にＰＲＢと称する）上でダウンリンクデータ及びダウンリンク制御シグナリング（Ｄｏｗｎｌｉｎｋ  Ｃｏｎｔｒｏｌ  Ｉｎｆｏｒｍａｔｉｏｎ、単にＤＣＩと称する）を送信する。ダウンリンク制御シグナリングは、ＩMCS 情報を携帯している。１つのＩＭＣＳは、本質的に１つの変調符号化方式の組み合わせに対応し、これにより、端末は、ダウンリンクデータの符号化変調方式を得て、決定された符号化変調方式に従って、ＰＤＳＣＨデータに対して復号及び復調を行うことができる。
【０００７】
ＬＴＥシステムでは、３ＧＰＰ  Ｒｅｌ−６レートマッチングアルゴリズムの代わりとして、循環バッファ（Ｃｉｒｃｕｌａｒ  Ｂｕｆｆｅｒ、単にＣＢと称する）のレートマッチング（Ｒａｔｅ  Ｍａｔｃｈｉｎｇ、単にＲＭと称する）に基づき、性能の良好なパンクチャリングパターンを簡単に生成できる方法を提供した。伝送のために選択されたビットは、循環バッファのいずれかのポイントから読み出されることができ、循環バッファの終わりに到達すると、循環バッファの開始位置に戻って、Ｌ個のビットが読み取られるまでデータを読み続けることができる。循環バッファでは、異なる位置を毎回のハイブリッド自動再送要求（Ｈｙｂｒｉｄ  Ａｕｔｏｍａｔｉｃ  Ｒｅｐｅａｔ  ｒｅＱＵＥｓｔ、単にＨＡＲＱと称する）データパケットの伝送において読み取る始点位置として指定できる。冗長バージョンの定義により、ＨＡＲＱデータパケットが循環バッファで読み取る複数の始点位置が決定され、冗長バージョンの取る値により、今回のＨＡＲＱデータパケットの伝送において循環バッファで読み取る具体的な始点位置が決定される。３ＧＰＰシステムでは、循環バッファレートマッチングに基づくＨＡＲＱ処理は、４つの巡回冗長（ＲＶ）バージョン（ＲＶ＝０、１、２、３）を定義した。毎回ＨＡＲＱ再送するＬビット長のサブパケットは、冗長バージョンにより定義された始点から時計回りに選定したＬ個のビットからなる。
【０００８】
マシンタイプ通信（Ｍａｃｈｉｎｅ  Ｔｙｐｅ  Ｃｏｍｍｕｎｉｃａｔｉｏｎ、単にＭＴＣと称する）ユーザ端末（Ｕｓｅｒ  Ｅｑｕｉｐｍｅｎｔ、単にＵＥと称する）は、マシンツーマシン（Ｍａｃｈｉｎｅ  ｔｏ  Ｍａｃｈｉｎｅ、単にＭ２Ｍと称する）ＵＥとも呼ばれ、モノのインターネットの現在の主な応用形式である。第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、単に３ＧＰＰと称する）技術報告ＴＲ４５．８２０Ｖ２００には、セルラレベルのモノのインターネット（Ｃｅｌｌｕｌａｒ  Ｉｎｔｅｒｎｅｔ  ｏｆ  Ｔｈｉｎｇｓ、単にＣ−ＩＯＴと称する）に適用可能な幾つかの技術が開示されている。
【０００９】
ＭＴＣ通信は、異なるカバレッジレベルをサポートする必要がある場合があり、異なるカバレッジレベルにより異なる大規模なフェージングが発生し、大規模なフェージングによる性能損失を補うために、繰り返し伝送が最も有効な手段となる場合がある。従来の繰り返し伝送に関して、まず、特定の符号化率ｒ及び特定の変調次数ｍに従ってデータに対して符号化変調を行って、１つの変調シンボル系列を得てから、変調シンボル系列を特定の時間周波数リソースブロック上にマッピングする必要があり、繰り返し伝送とは、この変調シンボル系列に対して何回も繰り返しを行ってから、それぞれ異なる時間周波数リソースブロック上にマッピングすることである。このような変調シンボル系列の繰り返し回数が即ちキーパラメーターである。
【００１０】
セルラモノのインターネット（Ｃｅｌｌｕｌａｒ  Ｉｎｔｅｒｎｅｔ  ｏｆ  Ｔｈｉｎｇｓ、単にＣ−ＩｏＴと称する）の需要を満たすために、狭帯域のモノのインターネット（ＮａｒｒｏｗＢａｎｄ−Ｃｅｌｌｕｌａｒ  Ｉｎｔｅｒｎｅｔ  ｏｆ  Ｔｈｉｎｇｓ、単にＮＢ−ＩＯＴと称する）と命名される新たなアクセスシステムの設計が第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、単に３ＧＰＰと称する）組織の第６９回総会で提案された。ここで、前記ＮＢ−ＩＯＴシステムは、低複雑度及び低スループットの無線周波数アクセス技術に注目し、主な研究目標は、改善された室内カバレッジ、膨大な量の低いスループットのユーザ機器に対するサポート、低い遅延敏感性、超低機器コスト、低い機器電力損失及びネットワークアーキテクチャを含む。前記ＮＢ−ＩＯＴシステムのアップダウンリンクの送信帯域幅はいずれも１８０ｋＨｚであり、ロングタームエボリューション（Ｌｏｎｇ  Ｔｅｒｍ  Ｅｖｏｌｕｔｉｏｎ、単にＬＴＥと称する）システムの１つの物理リソースブロック（Ｐｈｙｓｉｃａｌ  Ｒｅｓｏｕｒｃｅ  Ｂｌｏｃｋ、単にＰＲＢと称する）の帯域幅と同じで、これは、ＮＢ−ＩＯＴシステムにおいて従来のＬＴＥシステムを再利用する関連設計に有利である。また、前記ＮＢ−ＩＯＴシステムは、３つの異なる操作モードをさらにサポートし、１）スタンドアロン（Ｓｔａｎｄ−ａｌｏｎｅ）操作、例えば、現在ＧＥＲＡＮ（ＧＳＭ（登録商標）  ＥＤＧＥ  Ｒａｄｉｏ  Ａｃｃｅｓｓ  Ｎｅｔｗｏｒｋ）システムにより使用されているスペクトルを使用して１つ又は複数のＧＳＭキャリアを代替し、２）ガードバンド（Ｇｕａｒｄ  ｂａｎｄ）操作、例えば、１つのＬＴＥキャリアガードバンド範囲内の使用されていないリソースブロックを使用し、３）インバンド（Ｉｎ−ｂａｎｄ）操作、例えば、１つの正常なＬＴＥキャリア範囲内のリソースブロックを使用する。
【００１１】
しかしながら、ＬＴＥ及びＬＴＥ−Ａシステムと狭帯域のモノのインターネット（ＮＢ−ＩＯＴ）システムとは、ＮＢ−ＩＯＴ及びＬＴＥ／ＬＴＥ−Ａシステムの帯域幅、多元接続方式、符号化方式、リソース割り当てに非常に大きい改変があり、例えば、アップリンクにシングルトーン多元接続及びマルチトーン多元接続が導入され、ダウンリンクにＴｕｒｂｏ符号を使用せずにテールバイティング畳込み符号を使用する等の不同があるため、ＬＴＥ及びＬＴＥ−Ａシステムの伝送パラメーターの決定方法はＮＢ−ＩＯＴシステムに適用できず、従来技術では、まだＮＢ−ＩＯＴシステムに対するデータ共有チャネルの伝送パラメーターの決定方法が開示されていないため、ＮＢ−ＩＯＴシステムのコンパイル符号を正確に実現できない。
【００１２】
従来技術においてＮＢ−ＩＯＴシステムのデータ共有チャネルの伝送パラメーターを効果的に決定できない問題に対して、まだ有効な解決手段が提案されていない。
【発明の概要】
【発明が解決しようとする課題】
【００１３】
本発明は、少なくとも従来技術においてＮＢ−ＩＯＴシステムのデータ共有チャネルの伝送パラメーターを効果的に決定できない問題を解決するために、データ共有チャネルの伝送パラメーターの決定方法、装置及びシステムを提供する。
【課題を解決するための手段】
【００１４】
本発明の一態様によれば、データ共有チャネルの伝送パラメーターの決定方法が提供され、前記方法は、データ共有チャネルの伝送パラメーターを決定するためのフィールドを含むダウンリンク制御情報を受信し、ここで、伝送パラメーターは、変調方式、伝送ブロックサイズＴＢＳ、レートマッチング後の系列長、冗長バージョン、繰り返し回数のうちの少なくとも１つを含み、フィールドは、変調及び符号化方式ＭＣＳ指示フィールド、ＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロックＴＢのリソースユニットＲＵのリソース割り当てに基づく情報を指示するためのものであり、繰り返し回数指示フィールドは、繰り返し伝送回数を指示するためのものであるステップと、フィールドに基づいて伝送パラメーターを決定するステップと、を含む。
【００１５】
選択的に、フィールドがＴＢＳ指示フィールド及びリソース割り当てフィールドを含む場合、フィールドに基づいて伝送パラメーターを決定するステップは、ＴＢＳ指示フィールド及びリソース割り当てフィールドに基づいて変調方式を決定するステップを含む。
【００１６】
選択的に、ＴＢＳ指示フィールド及びリソース割り当てフィールドに基づいて変調方式を決定するステップは、ＴＢＳ指示フィールド、リソース割り当てフィールド、多元接続方式及びアップダウンリンク方式に基づいて変調方式を決定するステップを含む。
【００１７】
選択的に、ＴＢＳ指示フィールド、リソース割り当てフィールド、多元接続方式及びアップダウンリンク方式に基づいて変調方式を決定するステップは、アップリンク、シングルトーン多元接続の場合、ＴＢＳ指示フィールド及びリソース割り当てフィールドに基づき、第１の変調方式集合から変調方式を選択し、ここで、第１の変調方式集合は、ｐｉ／２  ＢＰＳＫ変調方式及びｐｉ／４  ＱＰＳＫ変調方式を含むステップと、アップリンク、マルチトーン多元接続の場合、ＴＢＳ指示フィールド及びリソース割り当てフィールドに基づき、第２の変調方式集合から変調方式を選択し、ここで、第２の変調方式集合は、ＱＰＳＫ変調方式、ＴＰＳＫ変調方式、８−ＢＰＳＫ変調方式のうちの少なくとも１つを含むステップと、ダウンリンク、ＯＦＤＭＡ多元接続の場合、ＴＢＳ指示フィールド及びリソース割り当てフィールドに基づき、第３の変調方式集合から変調方式を選択し、ここで、第３の変調方式集合は、ＱＰＳＫ変調方式、１６ＱＡＭ変調方式のうちの少なくとも１つを含むステップと、を含む。
【００１８】
選択的に、フィールドがＴＢＳ指示フィールド及びリソース割り当てフィールドを含む場合、フィールドに基づいて伝送パラメーターを決定するステップは、ＴＢＳ指示フィールド及びリソース割り当てフィールドに基づいて冗長バージョン又は繰り返し回数を決定するステップを含む。
【００１９】
選択的に、フィールドがＭＣＳ指示フィールド及びリソース割り当てフィールドを含む場合、フィールドに基づいて伝送パラメーターを決定するステップは、ＭＣＳ指示フィールド及びリソース割り当てフィールドに基づいて変調方式及び／又はＴＢＳを決定するステップを含む。
【００２０】
選択的に、ＭＣＳ指示フィールド及びリソース割り当てフィールドに基づいて変調方式及び／又はＴＢＳを決定するステップは、ＭＣＳ指示フィールド、リソース割り当てフィールド、多元接続方式及びアップダウンリンク方式に基づいて変調方式及び／又はＴＢＳを決定するステップを含む。
【００２１】
選択的に、ＭＣＳ指示フィールド、リソース割り当てフィールド、多元接続方式及びアップダウンリンク方式に基づいて変調方式及び／又はＴＢＳを決定するステップは、アップリンク、シングルトーン多元接続の場合、ＭＣＳ指示フィールド及びリソース割り当てフィールドに基づき、第３の変調方式集合から変調方式及び／又はＴＢＳを選択し、ここで、第３の変調方式集合は、ｐｉ／２  ＢＰＳＫ変調方式及びｐｉ／４  ＱＰＳＫ変調方式を含むステップと、アップリンク、マルチトーン多元接続の場合、ＭＣＳ指示フィールド及びリソース割り当てフィールドに基づき、第４の変調方式集合から変調方式及び／又はＴＢＳを選択し、ここで、第４の変調方式集合は、ＱＰＳＫ変調方式、ＴＰＳＫ変調方式、８−ＢＰＳＫ変調方式のうちの少なくとも１つを含むステップと、ダウンリンク、ＯＦＤＭＡ多元接続の場合、ＭＣＳ指示フィールド及びリソース割り当てフィールドに基づき、第５の変調方式集合から変調方式及び／又はＴＢＳを選択し、ここで、第５の変調方式集合は、ＱＰＳＫ変調方式、１６ＱＡＭ変調方式のうちの少なくとも１つを含むステップと、を含む。
【００２２】
選択的に、フィールドがＭＣＳ指示フィールド及びリソース割り当てフィールドを含む場合、フィールドに基づいて伝送パラメーターを決定するステップは、ＭＣＳ指示フィールド及び／又はリソース割り当てフィールドに基づいて冗長バージョン又は繰り返し回数を決定するステップを含む。
【００２３】
選択的に、冗長バージョンは、集合｛０，１｝又は｛０，１，２，３｝のうちの１つの要素である。
【００２４】
選択的に、フィールドに基づいて伝送パラメーターを決定するステップは、フィールド及び予定ＴＢＳテーブルに基づいてＴＢＳを決定するステップを含む。
【００２５】
選択的に、予定ＴＢＳテーブルは、１次元テーブル又は２次元テーブルを含み、ここで、予定ＴＢＳテーブルが１次元テーブルである場合、１次元テーブルの行又は列のインデックスが１つのＴＢＳインデックスに対応し、各ＴＢＳは１つのＴＢＳインデックスに対応し、予定ＴＢＳテーブルが２次元テーブルである場合、２次元テーブルの各行が１つのＴＢＳインデックスに対応し、２次元テーブルの各列が１つのリソース要素数に対応し、各ＴＢＳは１つのＴＢＳインデックス及び１つのリソース要素数に対応する。
【００２６】
選択的に、フィールド及び予定ＴＢＳテーブルに基づいてＴＢＳを決定する前、この方法は、下記の方式によって予定ＴＢＳテーブルを決定するステップをさらに含み、第１の条件下で第１のＴＢＳテーブルを予定ＴＢＳテーブルとし、第２の条件下で第２のＴＢＳテーブルを予定ＴＢＳテーブルとし、ここで、第１のＴＢＳテーブル及び第２のＴＢＳテーブルは異なるＴＢＳテーブルであり、ここで、第１の条件及び第２の条件は、第１の条件がアップリンク、シングルトーン多元接続であり、第２の条件がアップリンク、マルチトーン多元接続である条件、第１の条件がアップリンク、シングルトーン多元接続であり、第２の条件がダウンリンク、ＯＦＤＭＡ多元接続である条件、第１の条件が第１のカバレッジレベルであり、第２の条件が第２のカバレッジレベルであり、且つ、第１のカバレッジレベルと第２のカバレッジレベルとは異なっている条件、第１の条件がインバンド操作モードであり、第２の条件がスタンドアロン操作モード又はガードバンド操作モードである条件、第１の条件がアップリンク、マルチトーン多元接続であり、第２の条件がダウンリンク、ＯＦＤＭＡ多元接続である条件、第１の条件が帯域幅３．７５ｋＨｚのシングルトーン多元接続であり、第２の条件が帯域幅１５ｋＨｚのシングルトーン多元接続である条件、前記第１の条件が５Ｇの増強移動帯域幅ｅＭＢＢシーンであり、前記第２の条件が５Ｇの超高信頼性と超低遅延通信ＵＲＬＬＣ又は大容量マシンタイプ通信ｍＭＴＣシーンである条件、前記第１の条件が第１のプロトコルバージョンであり、前記第２の条件が第２のプロトコルバージョンである条件、前記第１の条件が第１のユーザ能力であり、前記第２の条件が第２のユーザ能力である条件、前記第１の条件が初回伝送であり、前記第２の条件が繰り返し伝送である条件、前記第１の条件が第１のダウンリンク制御情報フォーマットであり、前記第２の条件が第２のダウンリンク制御情報フォーマットである条件のうちの少なくとも１つを含む。
【００２７】
選択的に、第１のＴＢＳテーブル及び第２のＴＢＳテーブルが異なるＴＢＳテーブルである場合は、第１のＴＢＳテーブルがサポートするＴＢＳインデックス集合及び第２のＴＢＳテーブルがサポートするＴＢＳインデックス集合が同じであって、第１のＴＢＳテーブルがサポートするＲＵ数集合と第２のＴＢＳテーブルのＲＵ数集合とが異なる場合、第１のＴＢＳテーブルがサポートするＴＢＳインデックス集合と第２のＴＢＳテーブルがサポートするＴＢＳインデックス集合とが異なって、第１のＴＢＳテーブルがサポートするＲＵ数集合及び第２のＴＢＳテーブルがサポートするＲＵ数集合が同じである場合、第１のＴＢＳテーブルがサポートするＴＢＳインデックス集合と第２のＴＢＳテーブルがサポートするＴＢＳインデックス集合とが異なって、第１のＴＢＳテーブルがサポートするＲＵ数集合と第２のＴＢＳテーブルのＲＵ数集合とも異なる場合、同じ行列位置上で、第１のＴＢＳテーブルがサポートするＴＢＳ及び第２のＴＢＳテーブルがサポートするＴＢＳが予定比例関係を満たす場合、第１のＴＢＳテーブルがサポートするＴＢＳが第２のＴＢＳテーブルがサポートするＴＢＳの部分集合である場合のうちの少なくとも１つを含む。
【００２８】
選択的に、第１のＴＢＳテーブルがサポートするＲＵ数集合と第２のＴＢＳテーブルのＲＵ数集合とが異なる場合は、第１のＴＢＳテーブルのＲＵ数集合が第２のＴＢＳのＲＵ数集合の部分集合である場合、同じ列に関して、第１のＴＢＳテーブルのＲＵ数が第２のＴＢＳのＲＵ数の倍数である場合のうちの少なくとも１つを含み、第１のＴＢＳテーブルがサポートするＴＢＳインデックス集合と第２のＴＢＳテーブルがサポートするＴＢＳインデックス集合とが異なる場合は、第１のＴＢＳテーブルがサポートするＴＢＳインデックス集合が第２のＴＢＳテーブルがサポートするＴＢＳインデックス集合の部分集合である場合を含み、同じ行列位置上で、第１のＴＢＳテーブルがサポートするＴＢＳ及び第２のＴＢＳテーブルがサポートするＴＢＳが予定比例関係を満たす場合は、ＴＢＳ１（ｉ，ｊ）が空ではなく、且つ、ＴＢＳ２（ｉ，ｊ）が空ではない場合、ＴＢＳ２（ｉ，ｊ）／ＴＢＳ１（ｉ，ｊ）＝ａ＋ｅであり、ただし、ａは実定数であり、ｅはａ／１０以下の実数であり、ｅは誤差を示し、ｉは行インデックスを示し、ｊは列インデックスを示し、ＴＢＳ１（ｉ，ｊ）は第１のＴＢＳテーブルの第ｉ行及び第ｊ列のＴＢＳを示し、ＴＢＳ２（ｉ，ｊ）は第２のＴＢＳテーブルの第ｉ行及び第ｊ列のＴＢＳを示す場合を含む。
【００２９】
選択的に、フィールドがリソース割り当てフィールド及び繰り返し回数指示フィールドを含む場合、フィールドに基づいて伝送パラメーターを決定するステップは、リソース割り当てフィールド、繰り返し回数指示フィールド及び／又はカバレッジレベルモードに基づいてレートマッチング後の系列長を決定するステップを含む。
【００３０】
選択的に、リソース割り当てフィールド、繰り返し回数指示フィールド及び／又はカバレッジレベルモードに基づいてレートマッチング後の系列長を決定するステップは、変調次数、１つの伝送ブロックが占用するリソース要素数、繰り返し回数Ｎｒに基づいてレートマッチング後の系列長を決定する場合、変調次数、１つの伝送ブロックが占用するリソース要素数、繰り返し回数の因子Ｎｒ１に基づいてレートマッチング後の系列長を決定し、ただし、繰り返し回数Ｎｒ＝Ｎｒ１×Ｎｒ２であり、Ｎｒ１及びＮｒ２は２以上の整数である場合のうちの少なくとも１つを含む。
【００３１】
選択的に、フィールドに基づいて伝送パラメーターを決定するステップは、フィールド及び予定ＴＢＳテーブルに基づいて変調方式を決定するステップを含む。
【００３２】
選択的に、フィールドがリソース割り当てフィールドを含む場合、フィールド及び予定ＴＢＳテーブルに基づいて変調方式を決定するステップは、リソース割り当てフィールドに基づいて現在の物理ダウンリンク共有チャネルＰＤＳＣＨ伝送が占用する物理リソースブロックの数ＮRUを決定するステップと、予定ＴＢＳテーブルに基づいてＴＢＳを決定するステップと、ＮRU及びＴＢＳに基づいてスペクトル効率を決定するステップと、スペクトル効率に基づいて変調方式を決定するステップと、を含む。
【００３３】
選択的に、ＮRU及びＴＢＳに基づいてスペクトル効率を決定するステップは、下記式に従ってスペクトル効率ηを計算するステップを含み、
【数１】
2019511155.tif 000003
ただし、Ｘcrc は現在のＰＤＳＣＨ伝送が占用する物理リソースブロックの巡回冗長検査符号ＣＲＣビット数である。
【００３４】
選択的に、スペクトル効率に基づいて変調方式を決定するステップは、スペクトル効率が予定範囲を満たすか否かを判断するステップと、スペクトル効率が予定範囲を満たす場合、予定範囲に対応する変調方式を変調方式として決定するステップと、を含む。
【００３５】
選択的に、スペクトル効率が予定範囲を満たす場合、予定範囲に対応する変調方式を変調方式として決定するステップは、η≦η0 の場合、Ｑm ＝１であるステップと、η≧η0 の場合、Ｑm ＝２であるステップと、を含み、ただし、η0 は予定のスペクトル効率閾値であり、Ｑm は再送変調次数を示す。
【００３６】
選択的に、ＲＵは、周波数領域上で連続するＮｓｃ個のサブキャリア及び時間領域上で連続するＮｓｙｍ個の基本時間領域シンボルユニットを含む時間周波数２次元リソースであり、各ＲＵはＮｓｃ＊Ｎｓｙｍ個のリソース要素を含み、Ｎｓｃ及びＮｓｙｍはいずれも１以上の整数である。
【００３７】
選択的に、フィールドがＴＢＳ指示フィールドを含む場合、フィールドに基づいて伝送パラメーターを決定するステップは、ＴＢＳ指示フィールド及びリソース要素の数に基づいてＴＢＳを決定するステップを含む。
【００３８】
選択的に、フィールドがＴＢＳ指示フィールドを含む場合、フィールドに基づいて伝送パラメーターを決定するステップは、初回ＨＡＲＱ伝送の場合、ＴＢＳ指示フィールド内の同じＴＢＳインデックスに基づいてＴＢＳを決定するステップと、ＨＡＲＱ再送の場合、ＴＢＳ指示フィールド内の同じＴＢＳインデックスに基づいてＨＡＲＱ再送の冗長バージョン又は変調次数を決定するステップと、を含む。
【００３９】
選択的に、フィールドがＭＣＳ指示フィールドを含む場合、フィールドに基づいて伝送パラメーターを決定するステップは、初回ＨＡＲＱ伝送の場合、ＭＣＳ指示フィールド内の同じＭＣＳインデックスに基づいてＭＣＳレベルを決定するステップと、ＨＡＲＱ再送の場合、ＭＣＳ指示フィールド内の同じＭＣＳインデックスに基づいてＨＡＲＱ再送の冗長バージョン又は変調次数を決定するステップと、を含む。
【００４０】
本発明の別の態様によれば、データ共有チャネルの伝送パラメーターの決定方法がさらに提供され、前記方法は、データ共有チャネルの伝送パラメーターを決定するためのフィールドを取得し、ここで、伝送パラメーターは、変調方式、伝送ブロックサイズＴＢＳ、レートマッチング後の系列長、冗長バージョン、繰り返し回数のうちの少なくとも１つを含み、フィールドは、変調及び符号化方式ＭＣＳ指示フィールド、ＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロックＴＢのリソースユニットＲＵのリソース割り当てに基づく情報を指示するためのものであり、繰り返し回数指示フィールドは、繰り返し伝送回数を指示するためのものであるステップと、データ共有チャネルの伝送パラメーターを決定するためのフィールドを含むダウンリンク制御情報を送信し、フィールドに基づいて伝送パラメーターを決定するステップと、を含む。
【００４１】
本発明の別の態様によれば、データ共有チャネルの伝送パラメーターの決定装置がさらに提供され、前記装置は、データ共有チャネルの伝送パラメーターを決定するためのフィールドを含むダウンリンク制御情報を受信し、ここで、伝送パラメーターは、変調方式、伝送ブロックサイズＴＢＳ、レートマッチング後の系列長、冗長バージョン、繰り返し回数のうちの少なくとも１つを含み、フィールドは、変調及び符号化方式ＭＣＳ指示フィールド、ＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロックＴＢのリソースユニットＲＵのリソース割り当てに基づく情報を指示するためのものであり、繰り返し回数指示フィールドは、繰り返し伝送回数を指示するためのものであるように構成される受信モジュールと、フィールドに基づいて伝送パラメーターを決定するように構成される決定モジュールと、を備える。
【００４２】
本発明の別の態様によれば、データ共有チャネルの伝送パラメーターの決定装置がさらに提供され、前記装置は、データ共有チャネルの伝送パラメーターを決定するためのフィールドを取得し、ここで、伝送パラメーターは、変調方式、伝送ブロックサイズＴＢＳ、レートマッチング後の系列長、冗長バージョン、繰り返し回数のうちの少なくとも１つを含み、フィールドは、変調及び符号化方式ＭＣＳ指示フィールド、ＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロックＴＢのリソースユニットＲＵのリソース割り当てに基づく情報を指示するためのものであり、繰り返し回数指示フィールドは、繰り返し伝送回数を指示するためのものであるように構成される取得モジュールと、データ共有チャネルの伝送パラメーターを決定するためのフィールドを含むダウンリンク制御情報を送信し、フィールドに基づいて伝送パラメーターを決定するように構成される送信モジュールと、を備える。
【００４３】
本発明の別の態様によれば、データ共有チャネルの伝送パラメーターの決定システムがさらに提供され、前記システムは、データ共有チャネルの伝送パラメーターを決定するためのフィールドを取得し、データ共有チャネルの伝送パラメーターを決定するためのフィールドを含むダウンリンク制御情報を送信し、フィールドに基づいて伝送パラメーターを決定し、ここで、伝送パラメーターは、変調方式、伝送ブロックサイズＴＢＳ、レートマッチング後の系列長、冗長バージョン、繰り返し回数のうちの少なくとも１つを含み、フィールドは、変調及び符号化方式ＭＣＳ指示フィールド、ＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロックＴＢのリソースユニットＲＵのリソース割り当てに基づく情報を指示するためのものであり、繰り返し回数指示フィールドは、繰り返し伝送回数を指示するためのものであるように構成される基地局と、ダウンリンク制御情報を受信し、ダウンリンク制御情報におけるデータ共有チャネルの伝送パラメーターを決定するためのフィールドに基づいて伝送パラメーターを決定するように構成される端末と、を備える。
【００４４】
本発明の別の実施例によれば、上記の方法の実施例におけるステップの１つ又はその組み合わせを実行するための実行命令が記憶されているコンピュータ記録媒体を提供する。
【発明の効果】
【００４５】
本発明によれば、ダウンリンク制御情報を受信し、ここで、ダウンリンク制御情報は、データ共有チャネルの伝送パラメーターを決定するためのフィールドを含み、フィールドに基づいて伝送パラメーターを決定することで、従来技術においてＮＢ−ＩＯＴシステムのデータ共有チャネルの伝送パラメーターを効果的に決定できない問題を解決した。この方法は、互換性を維持する条件下で、ＨＡＲＱ再送又は繰り返し伝送の性能を効果的に改善し、シグナリングオーバーヘッドを可能な限り減少した。
【図面の簡単な説明】
【００４６】
ここの図面は、本発明に対する更なる理解を提供して、本発明の一部を構成し、本発明の例示的な実施例及びその説明は、本発明を解釈するだけで、本発明を限定するものではない。
【図１】本発明の実施例に係るデータ共有チャネルの伝送パラメーターの決定方法のフローチャートである。
【図２】本発明の実施例に係る別のデータ共有チャネルの伝送パラメーターの決定方法のフローチャートである。
【図３】本発明の実施例に係るデータ共有チャネルの伝送パラメーターの決定装置の構成ブロック図である。
【図４】本発明の実施例に係る別のデータ共有チャネルの伝送パラメーターの決定装置の構成ブロック図である。
【図５】本発明の実施例に係るデータ共有チャネルの伝送パラメーターの決定システムの模式図である。
【発明を実施するための形態】
【００４７】
以下、図面を参照しながら実施例を併せて本発明を詳細に説明する。なお、矛盾しない前提で、本発明の実施例及び実施例における特徴を互いに組み合わせてもよい。
【００４８】
なお、本発明の明細書と特許請求範囲及び上記の図面における用語「第１の」、「第２の」などは、類似する対象を区別するためのもので、特定の順序又は前後順序を説明するためには使用されない。
【００４９】
本実施例によれば、データ共有チャネルの伝送パラメーターの決定方法が提供され、図１は、本発明の実施例に係るデータ共有チャネルの伝送パラメーターの決定方法のフローチャートであり、図１に示すように、このフローは、下記のステップを含む。
【００５０】
ステップＳ１０２：データ共有チャネルの伝送パラメーターを指示するためのフィールドを含むダウンリンク制御情報を受信し、ここで、伝送パラメーターは、変調方式、伝送ブロックサイズ（Ｔｒａｎｓｐｏｒｔ  Ｂｌｏｃｋ  Ｓｉｚｅ、単にＴＢＳと称する）、レートマッチング後の系列長、冗長バージョン、繰り返し回数のうちの少なくとも１つを含み、フィールドは、変調及び符号化方式（Ｍｏｄｕｌａｔｉｏｎ  ａｎｄ  Ｃｏｄｉｎｇ  ＳＣｈｅｍｅ、単にＭＣＳと称する）指示フィールド、伝送ブロックサイズＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロック（Ｔｒａｎｓｐｏｒｔ  Ｂｌｏｃｋ、単にＴＢと称する）のリソースユニット（Ｒｅｓｏｕｒｃｅ  Ｕｎｉｔ、単にＲＵと称する）のリソース割り当てに基づく情報を指示するためのものであり、繰り返し回数指示フィールドは、繰り返し伝送回数を指示するためのものである。
【００５１】
ステップＳ１０４：フィールドに基づいて伝送パラメーターを決定する。
【００５２】
この実施例では、ダウンリンク制御情報を受信する実行主体は、ユーザ機器ＵＥであってもよく、ＵＥは、ダウンリンク制御情報におけるデータ共有チャネルの伝送パラメーターを指示するためのフィールドに基づいて伝送パラメーターを決定できる。ここで、変調方式は、変調次数（Ｍｏｄｕｌａｔｉｏｎ  ｏｒｄｅｒ）を含む。
【００５３】
ここで、上記のＴＢＳ指示フィールドは、直接に１つのＴＢＳを決定し、又はリソース要素数と合わせて１つのＴＢＳを決定するために使用される。
【００５４】
なお、本発明の実施例に係るデータ共有チャネルの伝送パラメーターの決定方法は、ＮＢ−ＩＯＴシステムに適用されて、コンパイル符号の実現を確保してサポートできる。
【００５５】
なお、本発明の伝送パラメーターは、上記の伝送パラメーターを含むがこれに限定されず、且つ、データ共有チャネルの伝送パラメーターを指示するためのフィールドは、上記のフィールドを含むがこれに限定されない。
【００５６】
この実施例によれば、データ共有チャネルの伝送パラメーターを指示するためのフィールドを含むダウンリンク制御情報を受信し、フィールドに基づいて伝送パラメーターを決定することで、従来技術においてＮＢ−ＩＯＴシステムのデータ共有チャネルの伝送パラメーターを効果的に決定できない問題を解決した。この方法は、互換性を維持する条件下で、ＨＡＲＱ再送又は繰り返し伝送の性能を効果的に改善し、シグナリングオーバーヘッドを可能な限り減少した。
【００５７】
選択的に、フィールドがＴＢＳ指示フィールド及びリソース割り当てフィールドを含む場合、フィールドに基づいて伝送パラメーターを決定するステップは、ＴＢＳ指示フィールド及びリソース割り当てフィールドに基づいて変調方式を決定するステップを含む。
【００５８】
選択的に、ＴＢＳ指示フィールド及びリソース割り当てフィールドに基づいて変調方式を決定するステップは、ＴＢＳ指示フィールド、リソース割り当てフィールド、多元接続方式及びアップダウンリンク方式に基づいて変調方式を決定するステップを含む。
【００５９】
選択的に、ＴＢＳ指示フィールド、リソース割り当てフィールド、多元接続方式及びアップダウンリンク方式に基づいて変調方式を決定するステップは、アップリンク、シングルトーン多元接続の場合、ＴＢＳ指示フィールド及びリソース割り当てフィールドに基づき、第１の変調方式集合から変調方式を選択し、ここで、第１の変調方式集合は、ｐｉ／２  ＢＰＳＫ変調方式及びｐｉ／４  ＱＰＳＫ変調方式を含むステップと、アップリンク、マルチトーン多元接続の場合、ＴＢＳ指示フィールド及びリソース割り当てフィールドに基づき、第２の変調方式集合から変調方式を選択し、ここで、第２の変調方式集合は、ＱＰＳＫ変調方式、ＴＰＳＫ変調方式、８−ＢＰＳＫ変調方式のうちの少なくとも１つを含むステップと、ダウンリンク、ＯＦＤＭＡ多元接続の場合、ＴＢＳ指示フィールド及びリソース割り当てフィールドに基づき、第３の変調方式集合から変調方式を選択し、ここで、第３の変調方式集合は、ＱＰＳＫ変調方式、１６ＱＡＭ変調方式のうちの少なくとも１つを含むステップと、を含む。
【００６０】
具体的に、アップリンクのシングルトーン多元接続条件下で、ＴＢＳ指示フィールド及びリソース割り当てフィールドに基づき、第１の変調方式集合から１つの変調方式を選択でき、ここで、第１の変調方式集合は、ｐｉ／２  ＢＰＳＫ変調方式及びｐｉ／４  ＱＰＳＫ変調方式を含み、アップリンクのマルチトーン多元接続条件下で、ＴＢＳ指示フィールド及びリソース割り当てフィールドに基づき、第２の変調方式集合から１つの変調方式を選択し、ここで、第２の変調方式集合は、ＱＰＳＫ変調方式、ＴＰＳＫ変調方式、８−ＢＰＳＫ変調方式のうちの少なくとも１つを含み、ダウンリンクのＯＦＤＭＡ多元接続条件下で、ＴＢＳ指示フィールド及びリソース割り当てフィールドに基づき、第３の変調方式集合から１つの変調方式を選択する。ここで、第３の変調方式集合は、ＱＰＳＫ変調方式、１６ＱＡＭ変調方式のうちの少なくとも１つを含む。
【００６１】
例えば、端末は、基地局が送信したダウンリンク制御情報を受信し、ダウンリンク制御情報におけるリソース割り当てフィールド及びＴＢＳ指示フィールド、多元接続方式及びアップダウンリンク方式に基づいて変調方式を決定する。ＴＢＳ指示フィールドにＴＢＳインデックスが担持され、このＴＢＳインデックスは一意、且つ直接にＴＢＳを指示する。表１は、１つのＴＢＳインデックステーブルを提供し、ＴＢＳ指示フィールドに３ビットのＴＢＳインデックスが担持され、このインデックスは１つのＴＢＳ値を一意に指示し、具体的に、表１に示すようである。
【００６２】
【表１】
2019511155.tif 000004
【００６３】
端末は、ＴＢＳインデックス及び１つの伝送ブロックが占用するＲＵの数ＮＲＵに基づいて変調方式を決定できる。具体的に、シングルトーン多元接続に関して、端末は、表２（ＴＢＳインデックス、ＲＵの数及び変調次数の間の対応関係を含む）を例としたテーブルに基づいて変調次数（ｍｏｄｕｌａｔｉｏｎ  ｏｒｄｅｒ）を決定でき、ここで、変調次数が１である場合、ｐｉ／２  ＢＰＳＫ変調を使用することを示し、変調次数が２である場合、ｐｉ／４  ＱＰＳＫ変調を使用する。
【００６４】
【表２】
2019511155.tif 000005
【００６５】
選択的に、フィールドがＴＢＳ指示フィールド及びリソース割り当てフィールドを含む場合、フィールドに基づいて伝送パラメーターを決定するステップは、ＴＢＳ指示フィールド及びリソース割り当てフィールドに基づいて冗長バージョン又は繰り返し回数を決定するステップを含む。
【００６６】
選択的に、フィールドがＭＣＳ指示フィールド及びリソース割り当てフィールドを含む場合、フィールドに基づいて伝送パラメーターを決定するステップは、ＭＣＳ指示フィールド及びリソース割り当てフィールドに基づいて変調方式及び／又はＴＢＳを決定するステップを含む。
【００６７】
選択的に、ＭＣＳ指示フィールド及びリソース割り当てフィールドに基づいて変調方式及び／又はＴＢＳを決定するステップは、ＭＣＳ指示フィールド、リソース割り当てフィールド、多元接続方式及びアップダウンリンク方式に基づいて変調方式及び／又はＴＢＳを決定するステップを含む。
【００６８】
選択的に、ＭＣＳ指示フィールド、リソース割り当てフィールド、多元接続方式及びアップダウンリンク方式に基づいて変調方式及び／又はＴＢＳを決定するステップは、アップリンク、シングルトーン多元接続の場合、ＭＣＳ指示フィールド及びリソース割り当てフィールドに基づき、第３の変調方式集合から変調方式及び／又はＴＢＳを選択し、ここで、第３の変調方式集合は、ｐｉ／２  ＢＰＳＫ変調方式及びｐｉ／４  ＱＰＳＫ変調方式を含むステップと、アップリンク、マルチトーン多元接続の場合、ＭＣＳ指示フィールド及びリソース割り当てフィールドに基づき、第４の変調方式集合から変調方式及び／又はＴＢＳを選択し、ここで、第４の変調方式集合は、ＱＰＳＫ変調方式、ＴＰＳＫ変調方式、８−ＢＰＳＫ変調方式のうちの少なくとも１つを含むステップと、ダウンリンク、ＯＦＤＭＡ多元接続の場合、ＭＣＳ指示フィールド及びリソース割り当てフィールドに基づき、第５の変調方式集合から変調方式及び／又はＴＢＳを選択し、ここで、第５の変調方式集合は、ＱＰＳＫ変調方式、１６ＱＡＭ変調方式のうちの少なくとも１つを含むステップと、を含む。
【００６９】
具体的に、アップリンクのシングルトーン多元接続条件下で、ＭＣＳ指示フィールド及びリソース割り当てフィールドに基づき、第３の変調方式集合から１つの変調方式及びＴＢＳを選択し、ここで、第３の変調方式集合は、ｐｉ／２  ＢＰＳＫ変調方式及びｐｉ／４  ＱＰＳＫ変調方式を含み、アップリンクのマルチトーン多元接続条件下で、ＭＣＳ指示フィールド及びリソース割り当てフィールドに基づき、第４の変調方式集合から１つの変調方式及びＴＢＳを選択し、ここで、第４の変調方式集合は、ＱＰＳＫ変調方式、ＴＰＳＫ変調方式、８−ＢＰＳＫ変調方式のうちの少なくとも１つを含み、ダウンリンクのＯＦＤＭＡ多元接続条件下で、ＭＣＳ指示フィールド及びリソース割り当てフィールドに基づき、第５の変調方式集合から１つの変調方式及びＴＢＳを選択し、ここで、第５の変調方式集合は、ＱＰＳＫ変調方式、１６ＱＡＭ変調方式少なくとも１つを含む。
【００７０】
選択的に、フィールドがＭＣＳ指示フィールド及びリソース割り当てフィールドを含む場合、フィールドに基づいて伝送パラメーターを決定するステップは、ＭＣＳ指示フィールド及び／又はリソース割り当てフィールドに基づいて冗長バージョン又は繰り返し回数を決定するステップを含む。
【００７１】
選択的に、冗長バージョンは、集合｛０，１｝又は｛０，１，２，３｝のうちの１つの要素である。
【００７２】
例えば、シングルトーン多元接続に関して、テーブルを調べることによって現在の変調次数を決定できる。Ｑｍ＝１の場合、ｐｉ／２  ＢＰＳＫ変調方式を使用し、Ｑｍ＝２の場合、ｐｉ／４  ＱＰＳＫ変調方式を使用する。さらに、テーブルを調べることによって冗長バージョン情報を得ることができ、具体的に、表３に示すようである。
【００７３】
【表３】
2019511155.tif 000006
【００７４】
選択的に、フィールドに基づいて伝送パラメーターを決定するステップは、フィールド及び予定ＴＢＳテーブルに基づいてＴＢＳを決定するステップを含む。
【００７５】
ここで、予定ＴＢＳテーブルは１次元テーブル又は２次元テーブルであってもよく、ここで、予定ＴＢＳテーブルが１次元テーブルである場合、１次元テーブルの行又は列のインデックスが１つのＴＢＳインデックスに対応し、各ＴＢＳは１つのＴＢＳインデックスに対応し、予定ＴＢＳテーブルが２次元テーブルである場合、２次元テーブルの各行が１つのＴＢＳインデックスに対応し、２次元テーブルの各列が１つのリソース要素数に対応し、各ＴＢＳは１つのＴＢＳインデックス及び１つのリソース要素数に対応する。
【００７６】
例えば、ＴＢＳテーブルが１つの２次元テーブルであり、行インデックスがＴＢＳインデックスに対応し、列インデックスがＲＵ数に対応し、テーブルにおける各要素（ある行及びある列に対応する）は１つのＴＢＳである。
【００７７】
なお、システムが１つの変調方式のみサポートする場合、ＴＢＳインデックスはＭＣＳインデックスであってもよく、ＴＢＳテーブルの行インデックスがＭＣＳインデックスに対応し、この場合も本発明の範囲内に含まれる。
【００７８】
選択的に、フィールド及び予定ＴＢＳテーブルに基づいてＴＢＳを決定する前、この方法は、下記の方式によって予定ＴＢＳテーブルを決定するステップをさらに含み、第１の条件下で第１のＴＢＳテーブルを予定ＴＢＳテーブルとし、第２の条件下で第２のＴＢＳテーブルを予定ＴＢＳテーブルとし、ここで、第１のＴＢＳテーブル及び第２のＴＢＳテーブルは異なるＴＢＳテーブルであり、ここで、第１の条件及び第２の条件は、第１の条件がアップリンク、シングルトーン多元接続であり、第２の条件がアップリンク、マルチトーン多元接続である条件、第１の条件がアップリンク、シングルトーン多元接続であり、第２の条件がダウンリンク、ＯＦＤＭＡ多元接続である条件、第１の条件が第１のカバレッジレベルであり、第２の条件が第２のカバレッジレベルである条件、第１の条件がインバンド操作モード（Ｉｎｂａｎｄ）であり、第２の条件がスタンドアロン操作モード（ｓｔａｎｄａｌｏｎｅ）又はガードバンド操作モード（Ｇｕａｒｄｂａｎｄ）である条件、第１の条件がアップリンク、マルチトーン多元接続であり、第２の条件がダウンリンク、ＯＦＤＭＡ多元接続である条件、第１の条件が帯域幅３．７５ｋＨｚのシングルトーン多元接続であり、第２の条件が帯域幅１５ｋＨｚのシングルトーン多元接続である条件、第１の条件が５Ｇの増強移動帯域幅ｅＭＢＢシーンであり、第２の条件が５Ｇの超高信頼性と超低遅延通信ＵＲＬＬＣ又は大容量マシンタイプ通信ｍＭＴＣシーンである条件、第１の条件が第１のプロトコルバージョンであり、第２の条件が第２のプロトコルバージョンである条件、第１の条件が第１のユーザ能力であり、第２の条件が第２のユーザ能力である条件、第１の条件が初回伝送であり、前記第２の条件が繰り返し伝送である条件、第１の条件が第１のダウンリンク制御情報フォーマットであり、第２の条件が第２のダウンリンク制御情報フォーマットである条件のうちの少なくとも１つを含む。本実施例では、第１のプロトコルバージョンがＬＴＥバージョン１２であってもよく、第２のプロトコルバージョンがＬＴＥバージョン１３であってもよく、初回伝送とは、１つのハイブリッド自動再送要求ＨＡＲＱプロセスの初回伝送であり、繰り返し伝送とは、１つのＨＡＲＱプロセスの再送である。
【００７９】
選択的に、第１のＴＢＳテーブル及び第２のＴＢＳテーブルが異なるＴＢＳテーブルである場合は、第１のＴＢＳテーブルがサポートするＴＢＳインデックス集合及び第２のＴＢＳテーブルがサポートするＴＢＳインデックス集合が同じであって、第１のＴＢＳテーブルがサポートするＲＵ数集合と第２のＴＢＳテーブルのＲＵ数集合とが異なる場合、第１のＴＢＳテーブルがサポートするＴＢＳインデックス集合と第２のＴＢＳテーブルがサポートするＴＢＳインデックス集合とが異なって、第１のＴＢＳテーブルがサポートするＲＵ数集合及び第２のＴＢＳテーブルがサポートするＲＵ数集合が同じである場合、第１のＴＢＳテーブルがサポートするＴＢＳインデックス集合と第２のＴＢＳテーブルがサポートするＴＢＳインデックス集合とが異なって、第１のＴＢＳテーブルがサポートするＲＵ数集合と第２のＴＢＳテーブルのＲＵ数集合とも異なる場合、同じ行列位置上で、第１のＴＢＳテーブルがサポートするＴＢＳ及び第２のＴＢＳテーブルがサポートするＴＢＳが予定比例関係を満たす場合、第１のＴＢＳテーブルがサポートするＴＢＳが第２のＴＢＳテーブルがサポートするＴＢＳの部分集合である場合のうちの少なくとも１つを含む。
【００８０】
具体的に、上記の実施例では、
（１）第１のＴＢＳテーブルがサポートするＲＵ数集合と第２のＴＢＳテーブルのＲＵ数集合とが異なる場合は、第１のＴＢＳテーブルのＲＵ数集合が第２のＴＢＳのＲＵ数集合の部分集合である場合、同じ列に関して、第１のＴＢＳテーブルのＲＵ数が第２のＴＢＳのＲＵ数の倍数である場合のうちの少なくとも１つを含み、
（２）第１のＴＢＳテーブルがサポートするＴＢＳインデックス集合と第２のＴＢＳテーブルがサポートするＴＢＳインデックス集合とが異なる場合は、第１のＴＢＳテーブルがサポートするＴＢＳインデックス集合が第２のＴＢＳテーブルがサポートするＴＢＳインデックス集合の部分集合である場合を含み、
（３）同じ行列位置上で、第１のＴＢＳテーブルがサポートするＴＢＳ及び第２のＴＢＳテーブルがサポートするＴＢＳが予定比例関係を満たす場合は、ＴＢＳ１（ｉ，ｊ）が空ではなく、且つ、ＴＢＳ２（ｉ，ｊ）が空ではない場合、ＴＢＳ２（ｉ，ｊ）／ＴＢＳ１（ｉ，ｊ）＝ａ＋ｅであり、ただし、ａは実定数であり、ｅはａ／１０以下の実数であり、ｅは誤差を示し、ｉは行インデックスを示し、ｊは列インデックスを示し、ＴＢＳ１（ｉ，ｊ）は第１のＴＢＳテーブルの第ｉ行及び第ｊ列のＴＢＳを示し、ＴＢＳ２（ｉ，ｊ）は第２のＴＢＳテーブルの第ｉ行及び第ｊ列のＴＢＳを示す場合を含む。
【００８１】
例えば、第１のＴＢＳテーブルがサポートするＴＢＳインデックス集合及び第２のＴＢＳテーブルがサポートするＴＢＳインデックス集合が同じであり、第１のＴＢＳテーブルのＲＵ数集合が第２のＴＢＳのＲＵ数集合の部分集合である場合、第１のＴＢＳテーブルは表４に示すようであり、第２のＴＢＳテーブルは表５に示すようである。
【００８２】
【表４】
2019511155.tif 000007
【００８３】
【表５】
2019511155.tif 000008
【００８４】
例えば、第１のＴＢＳテーブルがサポートするＴＢＳインデックス集合及び第２のＴＢＳテーブルがサポートするＴＢＳインデックス集合が同じであり、同じ列に関して、第１のＴＢＳテーブルのＲＵ数が第２のＴＢＳのＲＵ数の倍数である場合、第１のＴＢＳテーブルは表６に示すようであり、第２のＴＢＳテーブルは表７に示すようである。
【００８５】
【表６】
2019511155.tif 000009
【００８６】
【表７】
2019511155.tif 000010
【００８７】
例えば、第１のＴＢＳテーブルがサポートするＴＢＳインデックス集合が第２のＴＢＳテーブルがサポートするＴＢＳインデックス集合の部分集合であり、第１のＴＢＳテーブルがサポートするＲＵ数集合と第２のＴＢＳテーブルがサポートするＲＵ数集合とが同じである場合、第１のＴＢＳテーブルは表８に示すようであり、第２のＴＢＳテーブルは表９に示すようである。
【００８８】
【表８】
2019511155.tif 000011
【００８９】
【表９】
2019511155.tif 000012
【００９０】
例えば、第１のＴＢＳテーブルがサポートするＴＢＳインデックス集合が第２のＴＢＳテーブルがサポートするＴＢＳインデックス集合の部分集合であり、第１のＴＢＳテーブルのＲＵ数集合が第２のＴＢＳのＲＵ数集合の部分集合である場合、第１のＴＢＳテーブルは表１０に示すようであり、第２のＴＢＳテーブルは表１１に示すようである。
【００９１】
【表１０】
2019511155.tif 000013
【００９２】
【表１１】
2019511155.tif 000014
【００９３】
例えば、同じ行列位置上で、第１のＴＢＳテーブルがサポートするＴＢＳ及び第２のＴＢＳテーブルがサポートするＴＢＳがほぼ予定比例関係を満たす場合、第１のＴＢＳテーブルは、表１２に示すようであり、第２のＴＢＳテーブルは表１３に示すようである。
【００９４】
【表１２】
2019511155.tif 000015
【００９５】
【表１３】
2019511155.tif 000016
【００９６】
例えば、第１のＴＢＳテーブルがサポートするＴＢＳが第２のＴＢＳテーブルがサポートするＴＢＳの部分集合である場合、第１のＴＢＳテーブルがサポートするＴＢＳは、１６、２４、３２、４０、５６、７２、８８、１０４、１２０、１４４、１７６、２０８、２５６を含み、第２のＴＢＳテーブルがサポートするＴＢＳは、１６、２４、３２、４０、５６、７２、８８、１０４、１２０、１４４、１７６、２０８、２２４、２５６、３２８、３９２、４７２を含む。第１のＴＢＳテーブルのサポート可能なＴＢＳは第２のＴＢＳテーブルの部分集合である。
【００９７】
選択的に、フィールドがリソース割り当てフィールド及び繰り返し回数指示フィールドを含む場合、フィールドに基づいて伝送パラメーターを決定するステップは、リソース割り当てフィールド、繰り返し回数指示フィールド及び／又はカバレッジレベルモードに基づいてレートマッチング後の系列長を決定するステップを含む。
【００９８】
選択的に、リソース割り当てフィールド、繰り返し回数指示フィールド及び／又はカバレッジレベルモードに基づいてレートマッチング後の系列長を決定するステップは、変調次数、１つの伝送ブロックが占用するリソース要素数、繰り返し回数Ｎｒに基づいてレートマッチング後の系列長を決定する場合、変調次数、１つの伝送ブロックが占用するリソース要素数、繰り返し回数の因子Ｎｒ１に基づいてレートマッチング後の系列長を決定し、ただし、繰り返し回数Ｎｒ＝Ｎｒ１×Ｎｒ２であり、Ｎｒ１及びＮｒ２は２以上の整数である場合のうちの少なくとも１つを含む。
【００９９】
従来の繰り返し伝送に関して、まず、特定の符号化率ｒ及び特定の変調次数ｍに従ってデータに対して符号化変調を行って、１つの変調シンボル系列を得てから、変調シンボル系列を特定の時間周波数リソースブロック上にマッピングする必要があり、繰り返し伝送とは、この変調シンボル系列に対して何回も繰り返しを行ってから、それぞれ異なる時間周波数リソースブロック上にマッピングすることである。このため、レートマッチング後の系列長と繰り返し回数とは関係がない。本発明は、繰り返し伝送をレートマッチングに融合させることで、符号化変調を影響する方式を提案し、これにより、符号化率を低下でき、符号化変調モジュールによって許容される最大作業符号化率が１／３より大きいと、繰り返し回数をレートマッチングモジュールに導入し、作業符号化率を低下させて、増分冗長合成ゲインを増加させる効果が奏される。
【０１００】
具体的に、下記の２つの具体例を含んでもよい。
【０１０１】
例１：変調次数、１つの伝送ブロックが占用するリソース要素数、繰り返し回数Ｎｒに基づいてレートマッチング後の系列長を決定する。
【０１０２】
例２：変調次数、１つの伝送ブロックが占用するリソース要素数、繰り返し回数の因子Ｎｒ１に基づいてレートマッチング後の系列長を決定し、ただし、繰り返し回数Ｎｒ＝Ｎｒ１×Ｎｒ２であり、Ｎｒ１及びＮｒ２は２以上の整数である。
【０１０３】
この選択可能な実施例では、ＮＢ−ＩＯＴシステムに関して、ＴＢＣＣ（Ｔａｉｌ  Ｂｉｔｉｎｇ  Ｃｏｖｏｌｕｔｉｏｎａｌ  Ｃｏｄｅｓ）テールバイティング畳込み符号が冗長バージョンをサポートしない場合、この方法は、繰り返しの増分冗長性能を改善できる。
【０１０４】
選択的に、フィールドに基づいて伝送パラメーターを決定するステップは、フィールド及び予定ＴＢＳテーブルに基づいて変調方式を決定するステップを含む。
【０１０５】
選択的に、フィールドがリソース割り当てフィールドを含む場合、フィールド及び予定ＴＢＳテーブルに基づいて変調方式を決定するステップは、リソース割り当てフィールドに基づいて現在の物理ダウンリンク共有チャネルＰＤＳＣＨ伝送が占用する物理リソースブロックの数ＮRUを決定するステップと、予定ＴＢＳテーブルに基づいてＴＢＳを決定するステップと、ＮRU及びＴＢＳに基づいてスペクトル効率を決定するステップと、スペクトル効率に基づいて変調方式を決定するステップと、を含む。
【０１０６】
選択的に、ＮRU及びＴＢＳに基づいてスペクトル効率を決定するステップは、下記式に従ってスペクトル効率ηを計算するステップを含み、
【数２】
2019511155.tif 000017
ただし、Ｘcrc は現在のＰＤＳＣＨ伝送が占用する物理リソースブロックの巡回冗長検査符号ＣＲＣビット数である。
【０１０７】
選択的に、スペクトル効率に基づいて変調方式を決定するステップは、スペクトル効率が予定範囲を満たすか否かを判断するステップと、スペクトル効率が予定範囲を満たす場合、予定範囲に対応する変調方式を変調方式として決定するステップと、を含む。
【０１０８】
選択的に、スペクトル効率が予定範囲を満たす場合、予定範囲に対応する変調方式を変調方式として決定するステップは、
η≦η0 の場合、Ｑm ＝１であるステップと、
η≧η0 の場合、Ｑm ＝２であるステップと、を含み、
ただし、η0 は予定のスペクトル効率閾値（スペクトル効率に関連な閾値）であり、Ｑm は再送変調次数を示す。
【０１０９】
なお、アップリンク、マルチトーン多元接続方式及びダウンリンク、ＯＦＤＭＡ多元接続は、上記と類似している方式を使用して現在の伝送ブロックの変調方式を決定できる。又は、上記のテーブル又は式を使用して巡回冗長（ＲＶ）バージョン及び繰り返し回数を決定できる。
【０１１０】
選択的に、ＲＵは、周波数領域上で連続するＮｓｃ個のサブキャリア及び時間領域上で連続するＮｓｙｍ個の基本時間領域シンボルユニット（例えば、ＯＦＤＭシンボル）を含む時間周波数２次元リソースであり、各ＲＵはＮｓｃ＊Ｎｓｙｍ個のリソース要素を含み、Ｎｓｃ及びＮｓｙｍはいずれも１以上の整数である。
【０１１１】
選択的に、フィールドがＴＢＳ指示フィールドを含む場合、フィールドに基づいて伝送パラメーターを決定するステップは、ＴＢＳ指示フィールド及びリソース要素の数に基づいてＴＢＳを決定するステップを含む。即ち、ＴＢＳ指示フィールドをリソース要素の数と合わせてＴＢＳを決定できる。
【０１１２】
選択的に、フィールドがＴＢＳ指示フィールドを含む場合、フィールドに基づいて伝送パラメーターを決定するステップは、初回ＨＡＲＱ伝送の場合、ＴＢＳ指示フィールド内の同じＴＢＳインデックスに基づいてＴＢＳを決定するステップと、ＨＡＲＱ再送の場合、ＴＢＳ指示フィールド内の同じＴＢＳインデックスに基づいてＨＡＲＱ再送の冗長バージョン又は変調次数を決定するステップと、を含む。
【０１１３】
選択的に、フィールドがＭＣＳ指示フィールドを含む場合、フィールドに基づいて伝送パラメーターを決定するステップは、初回ＨＡＲＱ伝送の場合、ＭＣＳ指示フィールド内の同じＭＣＳインデックスに基づいてＭＣＳレベルを決定するステップと、ＨＡＲＱ再送の場合、ＭＣＳ指示フィールド内の同じＭＣＳインデックスに基づいてＨＡＲＱ再送の冗長バージョン又は変調次数を決定するステップと、を含む。
【０１１４】
選択的に、ステップＳ１０４の後、この方法は、下記のステップをさらに含んでもよい。
【０１１５】
ステップＳ１０６：決定された前記伝送パラメーターに基づいてデータに対して受信処理又は送信処理を行う。
【０１１６】
ステップＳ１０６において、データに対して受信処理を行う必要がある場合、前記伝送パラメーターを使用して復調復号、繰り返し合成の受信処理を行う。より具体的に、伝送パラメーターが変調方式（変調次数）である場合、このパラメーターは復調のために使用され、伝送パラメーターがＴＢＳ、ＲＶ又はレートマッチング後の系列長である場合、このパラメーターは復号のために使用され、伝送パラメーターが繰り返し回数である場合、このパラメーターはｃｈａｓｅ合成を繰り返すために使用される。データに対して送信処理を行う必要がある場合、前記伝送パラメーターを使用して変調、符号化、繰り返しの送信処理を行う。より具体的に、伝送パラメーターが変調方式（変調次数）である場合、このパラメーターは変調のために使用され、伝送パラメーターがＴＢＳ、ＲＶ又はレートマッチング後の系列長である場合、このパラメーターは符号化のために使用され、伝送パラメーターが繰り返し回数である場合、このパラメーターは時間領域繰り返しのために使用される。
【０１１７】
以下、本発明の実施例によれば、別のデータ共有チャネルの伝送パラメーターの決定方法がさらに提供され、図２に示すように、この方法は、下記のステップを含む。
【０１１８】
ステップＳ２０２：データ共有チャネルの伝送パラメーターを決定するためのフィールドを取得し、ここで、伝送パラメーターは、変調方式、伝送ブロックサイズＴＢＳ、レートマッチング後の系列長、冗長バージョン、繰り返し回数のうちの少なくとも１つを含み、フィールドは、変調及び符号化方式ＭＣＳ指示フィールド、ＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロックＴＢのリソースユニットＲＵのリソース割り当てに基づく情報を指示するためのものであり、繰り返し回数指示フィールドは、繰り返し伝送回数を指示するためのものである。
【０１１９】
ステップＳ２０４：データ共有チャネルの伝送パラメーターを決定するためのフィールドを含むダウンリンク制御情報を送信し、フィールドに基づいて伝送パラメーターを決定する。
【０１２０】
この実施例では、ダウンリンク制御情報を送信する実行主体は、基地局であってもよい。
【０１２１】
この実施例によれば、データ共有チャネルの伝送パラメーターを指示するためのフィールドを決定し、データ共有チャネルの伝送パラメーターを指示するためのフィールドを含むダウンリンク制御情報を送信することで、従来技術においてＮＢ−ＩＯＴシステムのデータ共有チャネルの伝送パラメーターを効果的に決定できない問題を解決した。この方法は、互換性を維持する条件下で、ＨＡＲＱ再送又は繰り返し伝送の性能を効果的に改善し、シグナリングオーバーヘッドを可能な限り減少した。
【０１２２】
選択的に、ステップＳ２０４の後、決定された前記伝送パラメーターに基づいてデータに対して送信又は受信処理を行う。
【０１２３】
以上の実施形態の説明を通じて、当業者であれば、上記実施例の方法がソフトウェアと必要の一般的なハードウェアプラットフォームによって実現できることを明らかに知ることができ、もちろん、ハードウェアによって実現することもできるが、多くの場合には、前者のハードウェアプラットフォームがより好ましい実施形態である。これらの理解に基づいて、本発明の技術的案は本質的に、或いは、従来技術に対して貢献をした部分は、ソフトウェア製品の形で具現されることができ、このコンピュータソフトウェア製品は、１つの記録媒体（例えば、ＲＯＭ／ＲＡＭ、磁気ディスク、光ディスク）に記憶され、一台の端末機器（携帯電話、コンピュータ、サーバ、又はネットワーク機器などであってもよい）が本発明の各実施例の方法を実行するようにいくつかの命令を含む。
【０１２４】
本実施例によれば、データ共有チャネルの伝送パラメーターの決定装置がさらに提供され、この装置は、上記の実施例及び好ましい実施形態を実現するためのもので、既に説明されている部分については詳細な説明を省略する。以下に使用された用語「モジュール」は、予め設定した機能のソフトウェア及び／又はハードウェアの組み合わせを実現できる。以下の実施例に説明する装置は、ソフトウェアで実現されることが好ましいが、ハードウェア、又は、ソフトウェア及びハードウェアの組み合わせで実現することも構想されるものである。
【０１２５】
図３に示すように、本発明の実施例に係るデータ共有チャネルの伝送パラメーターの決定装置は、受信モジュール３０及び決定モジュール３２を備える。
【０１２６】
受信モジュール３０は、データ共有チャネルの伝送パラメーターを決定するためのフィールドを含むダウンリンク制御情報を受信し、ここで、伝送パラメーターは、変調方式、ＴＢＳ、レートマッチング後の系列長、冗長バージョン、繰り返し回数のうちの少なくとも１つを含み、フィールドは、変調及び符号化方式ＭＣＳ指示フィールド、伝送ブロックサイズＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロックＴＢのリソースユニットＲＵのリソース割り当てに基づく情報を指示するためのものであり、繰り返し回数指示フィールドは、繰り返し伝送回数を指示するためのものであるように構成される。
【０１２７】
決定モジュール３２は、フィールドに基づいて伝送パラメーターを決定するように構成される。
【０１２８】
選択的に、この装置は、決定された前記伝送パラメーターに基づいてデータに対して受信処理又は送信処理を行うように構成されるデータ送信モジュール又は受信モジュール３４をさらに備えてもよい。
【０１２９】
受信モジュール３４がデータ受信モジュールである場合、前記伝送パラメーターを使用して復調復号、繰り返し合成の受信処理を行う。より具体的に、伝送パラメーターが変調方式（変調次数）である場合、このパラメーターは復調のために使用され、伝送パラメーターがＴＢＳ、ＲＶ又はレートマッチング後の系列長である場合、このパラメーターは復号のために使用され、伝送パラメーターが繰り返し回数である場合、このパラメーターはｃｈａｓｅ合成を繰り返すために使用される。受信モジュール３４がデータ送信モジュールである場合、前記伝送パラメーターを使用して変調、符号化、繰り返しの送信処理を行う。より具体的に、伝送パラメーターが変調方式（変調次数）である場合、このパラメーターは変調のために使用され、伝送パラメーターがＴＢＳ、ＲＶ又はレートマッチング後の系列長である場合、このパラメーターは符号化のために使用され、伝送パラメーターが繰り返し回数である場合、このパラメーターは時間領域繰り返しのために使用される。
【０１３０】
この実施例によれば、受信モジュール３０がデータ共有チャネルの伝送パラメーターを指示するためのフィールドを含むダウンリンク制御情報を受信し、決定モジュール３２がフィールドに基づいて伝送パラメーターを決定することで、従来技術においてＮＢ−ＩＯＴシステムのデータ共有チャネルの伝送パラメーターを効果的に決定できない問題を解決した。この方法は、互換性を維持する条件下で、ＨＡＲＱ再送又は繰り返し伝送の性能を効果的に改善し、シグナリングオーバーヘッドを可能な限り減少した。
【０１３１】
以下、本発明の別の態様によれば、データ共有チャネルの伝送パラメーターの決定装置の実施例がさらに提供される。図４に示すように、この装置は、
データ共有チャネルの伝送パラメーターを決定するためのフィールドを取得し、ここで、伝送パラメーターは、変調方式、伝送ブロックサイズＴＢＳ、レートマッチング後の系列長、冗長バージョン、繰り返し回数のうちの少なくとも１つを含み、フィールドは、変調及び符号化方式ＭＣＳ指示フィールド、ＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロックＴＢのリソースユニットＲＵのリソース割り当てに基づく情報を指示するためのものであり、繰り返し回数指示フィールドは、繰り返し伝送回数を指示するためのものであるように構成される取得モジュール４０と、
データ共有チャネルの伝送パラメーターを決定するためのフィールドを含むダウンリンク制御情報を送信し、フィールドに基づいて伝送パラメーターを決定するように構成される送信モジュール４２と、を備える。
【０１３２】
この実施例によれば、第２の決定モジュール４０がデータ共有チャネルの伝送パラメーターを指示するためのフィールドを決定し、送信モジュール４２がダウンリンク制御情報を送信することで、従来技術においてＮＢ−ＩＯＴシステムのデータ共有チャネルの伝送パラメーターを効果的に決定できない問題を解決した。この方法は、互換性を維持する条件下で、ＨＡＲＱ再送又は繰り返し伝送の性能を効果的に改善し、シグナリングオーバーヘッドを可能な限り減少した。
【０１３３】
選択的に、この装置は、決定された前記伝送パラメーターに基づいてデータに対して送信処理又は受信処理を行うように構成されるデータ送信モジュール又は受信モジュール４４をさらに備えてもよい。
【０１３４】
なお、上記各モジュールは、ソフトウェア又はハードウェアにより実現でき、ハードウェアについては、下記の方法で実現できるが、これに限定されない。上記モジュールはいずれも同じプロセッサーに位置され、或いは、上記各モジュールはそれぞれ異なるプロセッサーに位置する。
【０１３５】
本実施例によれば、データ共有チャネルの伝送パラメーターの決定システムがさらに提供され、このシステムは、上記の実施例及び好ましい実施形態を実現するためのもので、既に説明されている部分については詳細な説明を省略する。
【０１３６】
図５に示すように、このデータ共有チャネルの伝送パラメーターの決定システムは、
データ共有チャネルの伝送パラメーターを決定するためのフィールドを取得し、データ共有チャネルの伝送パラメーターを決定するためのフィールドを含むダウンリンク制御情報を送信し、フィールドに基づいて伝送パラメーターを決定し、伝送パラメーターは、変調方式、伝送ブロックサイズＴＢＳ、レートマッチング後の系列長、冗長バージョン、繰り返し回数のうちの少なくとも１つを含み、フィールドは、変調及び符号化方式ＭＣＳ指示フィールド、ＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロックＴＢのリソースユニットＲＵのリソース割り当てに基づく情報を指示するためのものであり、繰り返し回数指示フィールドは、繰り返し伝送回数を指示するためのものであるように構成される基地局５０と、
ダウンリンク制御情報を受信し、ダウンリンク制御情報におけるデータ共有チャネルの伝送パラメーターを決定するためのフィールドに基づいて伝送パラメーターを決定するように構成される端末５２と、を備える。
【０１３７】
なお、このシステムは、２つの場合を含んでもよく、第１の場合は、基地局データ送信と端末データ受信とが対応することであり、第２の場合は、基地局データ受信と端末データ送信とが対応することである。
【０１３８】
この実施例によれば、基地局がデータ共有チャネルの伝送パラメーターを指示するためのフィールドを含むダウンリンク制御情報を送信し、ユーザ機器ＵＥ５２がこのダウンリンク制御情報を受信し、フィールドに基づいて伝送パラメーターを決定することで、従来技術においてＮＢ−ＩＯＴシステムのデータ共有チャネルの伝送パラメーターを効果的に決定できない問題を解決した。この方法は、ジョイント符号化方法を利用して、互換性を維持する条件下で、ＨＡＲＱ再送又は繰り返し伝送の性能を効果的に改善し、シグナリングオーバーヘッドを可能な限り減少した。
【０１３９】
本発明の実施例は、記録媒体をさらに提供する。選択的に、本実施例では、上記記録媒体は、下記のステップを実行するためのプログラムコードが記憶されるように構成されてもよい。
【０１４０】
ステップＳ１：データ共有チャネルの伝送パラメーターを指示するためのフィールドを含むダウンリンク制御情報を受信し、ここで、伝送パラメーターは、変調方式、伝送ブロックサイズ（Ｔｒａｎｓｐｏｒｔ  Ｂｌｏｃｋ  Ｓｉｚｅ、単にＴＢＳと称する）、レートマッチング後の系列長、冗長バージョン、繰り返し回数のうちの少なくとも１つを含み、フィールドは、変調及び符号化方式（Ｍｏｄｕｌａｔｉｏｎ  ａｎｄ  Ｃｏｄｉｎｇ  ＳＣｈｅｍｅ、単にＭＣＳと称する）指示フィールド、伝送ブロックサイズＴＢＳ指示フィールド、リソース割り当てフィールド、繰り返し回数指示フィールドのうちの少なくとも１つを含み、ＭＣＳ指示フィールドは、符号化変調方式を指示するためのものであり、ＴＢＳ指示フィールドは、ＴＢＳを指示するためのものであり、リソース割り当てフィールドは、伝送ブロック（Ｔｒａｎｓｐｏｒｔ  Ｂｌｏｃｋ、単にＴＢと称する）のリソースユニット（Ｒｅｓｏｕｒｃｅ  Ｕｎｉｔ、単にＲＵと称する）のリソース割り当てに基づく情報を指示するためのものであり、繰り返し回数指示フィールドは、繰り返し伝送回数を指示するためのものである。
【０１４１】
ステップＳ２：フィールドに基づいて伝送パラメーターを決定する。
【０１４２】
選択的に、本実施例では、上記記録媒体は、ＵＳＢ、読み取り専用メモリ（Ｒｅａｄ−Ｏｎｌｙ  Ｍｅｍｏｒｙ、単にＲＯＭと称する）、ランダムアクセスメモリ（Ｒａｎｄｏｍ  Ａｃｃｅｓｓ  Ｍｅｍｏｒｙ、単にＲＡＭと称する）、モバイルハードディスク、磁気ディスクや光ディスクなどのプログラムコードを記憶できる様々な媒体を含むことができるが、これらに限定されない。
【０１４３】
選択的に、本実施例の具体的な例は、上記実施例及び選択可能な実施形態に説明された例を参照でき、本実施例では、ここで詳細な説明を省略する。
【０１４４】
また、当業者にとっては、上記の本発明の各モジュール又は各ステップが、汎用の計算装置により実現されることができ、それらは単体の計算装置に集中されてもよく、又は複数の計算装置により構成されたネットワークに分散されてもよく、選択的に、それらは計算装置の実行可能なプログラムコードにより実現されることができ、これによって、それらを記憶装置の中に記憶させて計算装置により実行されることができ、また、場合によっては、こちらの手順と異なる手順で示した又は説明されたステップを実行し、又はそれらをそれぞれの集積回路モジュールに製造し、又はそれらのうちの複数のモジュール又はステップを単体の集積回路モジュールに製造して実現されることができることが明らかなことである。このように、本発明はいずれの特定のハードウェア及びソフトウェアの組み合わせに限定されない。
【０１４５】
以上は本発明の好ましい実施例にすぎず、本発明を限定するものではなく、当業者にとっては、本発明は様々な変更及び変化を有してもよい。本発明の精神及び原則を逸脱しない範囲内でのいずれの変更、同等の代替、変形等は全て本発明の範囲に含まれる。
【産業上の利用可能性】
【０１４６】
上記のように、本発明の実施例に提供されたデータ共有チャネルの伝送パラメーターの決定方法、装置及びシステムによれば、従来技術においてＮＢ−ＩＯＴシステムのデータ共有チャネルの伝送パラメーターを効果的に決定できない問題を解決し、互換性を維持する条件下で、ＨＡＲＱ再送又は繰り返し伝送の性能を効果的に改善し、シグナリングオーバーヘッドを可能な限り減少した。
【図１】
2019511155.tif 000019
【図２】
2019511155.tif 000020
【図３】
2019511155.tif 000021
【図４】
2019511155.tif 000022
【図５】
2019511155.tif 000023
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
データ共有チャネルの伝送パラメーターを決定するためのフィールドを含むダウンリンク制御情報を受信し、ここで、前記伝送パラメーターは、変調方式、伝送ブロックサイズＴＢＳ、レートマッチング後の系列長、冗長バージョン、繰り返し回数のうちの少なくとも１つを含み、前記フィールドは、変調及び符号化方式ＭＣＳ指示フィールド、ＴＢＳ指示フィールド、リソース割り当てフィールド、繰り返し回数指示フィールドのうちの少なくとも１つを含み、前記ＭＣＳ指示フィールドは、符号化変調方式を指示するためのものであり、前記ＴＢＳ指示フィールドは、ＴＢＳを指示するためのものであり、前記リソース割り当てフィールドは、伝送ブロックＴＢのリソースユニットＲＵのリソース割り当てに基づく情報を指示するためのものであり、前記繰り返し回数指示フィールドは、繰り返し伝送回数を指示するためのものであるステップと、
前記フィールドに基づいて前記伝送パラメーターを決定するステップと、を含む
データ共有チャネルの伝送パラメーターの決定方法。
【請求項２】
前記フィールドが前記ＴＢＳ指示フィールド及び前記リソース割り当てフィールドを含む場合、前記フィールドに基づいて前記伝送パラメーターを決定するステップは、
前記ＴＢＳ指示フィールド及び前記リソース割り当てフィールドに基づいて前記変調方式を決定するステップを含む
請求項１に記載の方法。
【請求項３】
前記ＴＢＳ指示フィールド及び前記リソース割り当てフィールドに基づいて前記変調方式を決定するステップは、
前記ＴＢＳ指示フィールド、前記リソース割り当てフィールド、多元接続方式及びアップダウンリンク方式に基づいて前記変調方式を決定するステップを含む
請求項２に記載の方法。
【請求項４】
前記フィールドが前記ＴＢＳ指示フィールド及び前記リソース割り当てフィールドを含む場合、前記フィールドに基づいて前記伝送パラメーターを決定するステップは、
前記ＴＢＳ指示フィールド及び前記リソース割り当てフィールドに基づいて前記冗長バージョン又は前記繰り返し回数を決定するステップを含む
請求項１に記載の方法。
【請求項５】
前記フィールドが前記ＭＣＳ指示フィールド及び前記リソース割り当てフィールドを含む場合、前記フィールドに基づいて前記伝送パラメーターを決定するステップは、
前記ＭＣＳ指示フィールド及び前記リソース割り当てフィールドに基づいて前記変調方式及び／又は前記ＴＢＳを決定するステップを含む
請求項１に記載の方法。
【請求項６】
前記ＭＣＳ指示フィールド及び前記リソース割り当てフィールドに基づいて前記変調方式及び／又は前記ＴＢＳを決定するステップは、
前記ＭＣＳ指示フィールド、前記リソース割り当てフィールド、多元接続方式及びアップダウンリンク方式に基づいて前記変調方式及び／又は前記ＴＢＳを決定するステップを含む
請求項５に記載の方法。
【請求項７】
前記フィールドが前記ＭＣＳ指示フィールド及び前記リソース割り当てフィールドを含む場合、前記フィールドに基づいて前記伝送パラメーターを決定するステップは、
前記ＭＣＳ指示フィールド及び／又は前記リソース割り当てフィールドに基づいて前記冗長バージョン又は前記繰り返し回数を決定するステップを含む
請求項１に記載の方法。
【請求項８】
前記フィールドに基づいて前記伝送パラメーターを決定するステップは、
前記フィールド及び予定ＴＢＳテーブルに基づいて前記ＴＢＳを決定するステップを含む
請求項１に記載の方法。
【請求項９】
前記予定ＴＢＳテーブルは、１次元テーブル又は２次元テーブルを含み、ここで、
前記予定ＴＢＳテーブルが１次元テーブルである場合、前記１次元テーブルの行又は列のインデックスが１つのＴＢＳインデックスに対応し、各前記ＴＢＳは１つの前記ＴＢＳインデックスに対応し、
前記予定ＴＢＳテーブルが２次元テーブルである場合、前記２次元テーブルの各行が１つのＴＢＳインデックスに対応し、前記２次元テーブルの各列が１つのリソース要素数に対応し、各前記ＴＢＳは１つの前記ＴＢＳインデックス及び１つの前記リソース要素数に対応する
請求項８に記載の方法。
【請求項１０】
前記フィールド及び予定ＴＢＳテーブルに基づいてＴＢＳを決定する前、前記方法は、
下記の方式によって前記予定ＴＢＳテーブルを決定するステップをさらに含み、
第１の条件下で第１のＴＢＳテーブルを前記予定ＴＢＳテーブルとし、第２の条件下で第２のＴＢＳテーブルを前記予定ＴＢＳテーブルとし、ここで、前記第１のＴＢＳテーブル及び前記第２のＴＢＳテーブルは異なるＴＢＳテーブルであり、
ここで、前記第１の条件及び前記第２の条件は、
前記第１の条件がアップリンク、シングルトーン多元接続であり、前記第２の条件がアップリンク、マルチトーン多元接続である条件、
前記第１の条件がアップリンク、シングルトーン多元接続であり、前記第２の条件がダウンリンク、ＯＦＤＭＡ多元接続である条件、
前記第１の条件がインバンド操作モードであり、前記第２の条件がスタンドアロン操作モード又はガードバンド操作モードである条件、
前記第１の条件がアップリンク、マルチトーン多元接続であり、前記第２の条件がダウンリンク、ＯＦＤＭＡ多元接続である条件のうちの少なくとも１つを含む
請求項８に記載の方法。
【請求項１１】
前記第１のＴＢＳテーブル及び前記第２のＴＢＳテーブルが異なるＴＢＳテーブルである場合は、
前記第１のＴＢＳテーブルがサポートするＴＢＳインデックス集合及び前記第２のＴＢＳテーブルがサポートするＴＢＳインデックス集合が同じであって、前記第１のＴＢＳテーブルがサポートするＲＵ数集合と前記第２のＴＢＳテーブルのＲＵ数集合とが異なる場合、
前記第１のＴＢＳテーブルがサポートするＴＢＳインデックス集合と前記第２のＴＢＳテーブルがサポートするＴＢＳインデックス集合とが異なって、前記第１のＴＢＳテーブルがサポートするＲＵ数集合及び前記第２のＴＢＳテーブルがサポートするＲＵ数集合が同じである場合、
前記第１のＴＢＳテーブルがサポートするＴＢＳインデックス集合と前記第２のＴＢＳテーブルがサポートするＴＢＳインデックス集合とが異なって、前記第１のＴＢＳテーブルがサポートするＲＵ数集合と前記第２のＴＢＳテーブルのＲＵ数集合とも異なる場合、
同じ行列位置上で、前記第１のＴＢＳテーブルがサポートするＴＢＳ及び前記第２のＴＢＳテーブルがサポートするＴＢＳが予定比例関係を満たす場合、
前記第１のＴＢＳテーブルがサポートするＴＢＳが前記第２のＴＢＳテーブルがサポートするＴＢＳの部分集合である場合のうちの少なくとも１つを含む
請求項１０に記載の方法。
【請求項１２】
前記第１のＴＢＳテーブルがサポートするＲＵ数集合と前記第２のＴＢＳテーブルのＲＵ数集合とが異なる場合は、前記第１のＴＢＳテーブルのＲＵ数集合が前記第２のＴＢＳのＲＵ数集合の部分集合である場合、同じ列に関して、前記第１のＴＢＳテーブルのＲＵ数が前記第２のＴＢＳのＲＵ数の倍数である場合のうちの少なくとも１つを含み、
前記第１のＴＢＳテーブルがサポートするＴＢＳインデックス集合と前記第２のＴＢＳテーブルがサポートするＴＢＳインデックス集合とが異なる場合は、前記第１のＴＢＳテーブルがサポートするＴＢＳインデックス集合が前記第２のＴＢＳテーブルがサポートするＴＢＳインデックス集合の部分集合である場合を含み、
同じ行列位置上で、前記第１のＴＢＳテーブルがサポートするＴＢＳ及び前記第２のＴＢＳテーブルがサポートするＴＢＳが予定比例関係を満たす場合は、ＴＢＳ１（ｉ，ｊ）が空ではなく、且つ、ＴＢＳ２（ｉ，ｊ）が空ではない場合、ＴＢＳ２（ｉ，ｊ）／ＴＢＳ１（ｉ，ｊ）＝ａ＋ｅであり、ただし、ａは実定数であり、ｅはａ／１０以下の実数であり、ｅは誤差を示し、ｉは行インデックスを示し、ｊは列インデックスを示し、ＴＢＳ１（ｉ，ｊ）は前記第１のＴＢＳテーブルの第ｉ行及び第ｊ列のＴＢＳを示し、ＴＢＳ２（ｉ，ｊ）は前記第２のＴＢＳテーブルの第ｉ行及び第ｊ列のＴＢＳを示す場合を含む
請求項１１に記載の方法。
【請求項１３】
前記フィールドが前記リソース割り当てフィールド及び前記繰り返し回数指示フィールドを含む場合、前記フィールドに基づいて前記伝送パラメーターを決定するステップは、
前記リソース割り当てフィールド、前記繰り返し回数指示フィールド及び／又はカバレッジレベルモードに基づいて前記レートマッチング後の系列長を決定するステップを含む
請求項１に記載の方法。
【請求項１４】
前記リソース割り当てフィールド、前記繰り返し回数指示フィールド及び／又はカバレッジレベルモードに基づいて前記レートマッチング後の系列長を決定するステップは、
変調次数、１つの伝送ブロックが占用するリソース要素数、繰り返し回数Ｎｒに基づいて前記レートマッチング後の系列長を決定する場合、
変調次数、１つの伝送ブロックが占用するリソース要素数、繰り返し回数の因子Ｎｒ１に基づいて前記レートマッチング後の系列長を決定し、ただし、前記繰り返し回数Ｎｒ＝Ｎｒ１×Ｎｒ２であり、Ｎｒ１及びＮｒ２は２以上の整数である場合のうちの少なくとも１つを含む
請求項１３に記載の方法。
【請求項１５】
前記ＲＵは、周波数領域上で連続するＮｓｃ個のサブキャリア及び時間領域上で連続するＮｓｙｍ個の基本時間領域シンボルユニットを含む時間周波数２次元リソースであり、各前記ＲＵはＮｓｃ＊Ｎｓｙｍ個のリソース要素を含み、前記Ｎｓｃ及び前記Ｎｓｙｍはいずれも１以上の整数である
請求項１に記載の方法。
【請求項１６】
前記フィールドが前記ＴＢＳ指示フィールドを含む場合、前記フィールドに基づいて前記伝送パラメーターを決定するステップは、
前記ＴＢＳ指示フィールド及び前記リソース要素の数に基づいて前記ＴＢＳを決定するステップを含む
請求項１５に記載の方法。
【請求項１７】
データ共有チャネルの伝送パラメーターを決定するためのフィールドを取得し、ここで、前記伝送パラメーターは、変調方式、伝送ブロックサイズＴＢＳ、レートマッチング後の系列長、冗長バージョン、繰り返し回数のうちの少なくとも１つを含み、前記フィールドは、変調及び符号化方式ＭＣＳ指示フィールド、ＴＢＳ指示フィールド、リソース割り当てフィールド、繰り返し回数指示フィールドのうちの少なくとも１つを含み、前記ＭＣＳ指示フィールドは、符号化変調方式を指示するためのものであり、前記ＴＢＳ指示フィールドは、ＴＢＳを指示するためのものであり、前記リソース割り当てフィールドは、伝送ブロックＴＢのリソースユニットＲＵのリソース割り当てに基づく情報を指示するためのものであり、前記繰り返し回数指示フィールドは、繰り返し伝送回数を指示するためのものであるステップと、
前記データ共有チャネルの伝送パラメーターを決定するためのフィールドを含むダウンリンク制御情報を送信し、前記フィールドに基づいて前記伝送パラメーターを決定するステップと、を含む
データ共有チャネルの伝送パラメーターの決定方法。
【請求項１８】
データ共有チャネルの伝送パラメーターを決定するためのフィールドを含むダウンリンク制御情報を受信し、ここで、前記伝送パラメーターは、変調方式、伝送ブロックサイズＴＢＳ、レートマッチング後の系列長、冗長バージョン、繰り返し回数のうちの少なくとも１つを含み、前記フィールドは、変調及び符号化方式ＭＣＳ指示フィールド、ＴＢＳ指示フィールド、リソース割り当てフィールド、繰り返し回数指示フィールドのうちの少なくとも１つを含み、前記ＭＣＳ指示フィールドは、符号化変調方式を指示するためのものであり、前記ＴＢＳ指示フィールドは、ＴＢＳを指示するためのものであり、前記リソース割り当てフィールドは、伝送ブロックＴＢのリソースユニットＲＵのリソース割り当てに基づく情報を指示するためのものであり、前記繰り返し回数指示フィールドは、繰り返し伝送回数を指示するためのものであるように構成される受信モジュールと、
前記フィールドに基づいて前記伝送パラメーターを決定するように構成される決定モジュールと、を備える
データ共有チャネルの伝送パラメーターの決定装置。
【請求項１９】
データ共有チャネルの伝送パラメーターを決定するためのフィールドを取得し、ここで、前記伝送パラメーターは、変調方式、伝送ブロックサイズＴＢＳ、レートマッチング後の系列長、冗長バージョン、繰り返し回数のうちの少なくとも１つを含み、前記フィールドは、変調及び符号化方式ＭＣＳ指示フィールド、ＴＢＳ指示フィールド、リソース割り当てフィールド、繰り返し回数指示フィールドのうちの少なくとも１つを含み、前記ＭＣＳ指示フィールドは、符号化変調方式を指示するためのものであり、前記ＴＢＳ指示フィールドは、ＴＢＳを指示するためのものであり、前記リソース割り当てフィールドは、伝送ブロックＴＢのリソースユニットＲＵのリソース割り当てに基づく情報を指示するためのものであり、前記繰り返し回数指示フィールドは、繰り返し伝送回数を指示するためのものであるように構成される取得モジュールと、
前記データ共有チャネルの伝送パラメーターを決定するためのフィールドを含むダウンリンク制御情報を送信し、前記フィールドに基づいて前記伝送パラメーターを決定するように構成される送信モジュールと、を備える
データ共有チャネルの伝送パラメーターの決定装置。
【請求項２０】
データ共有チャネルの伝送パラメーターを決定するためのフィールドを取得し、前記データ共有チャネルの伝送パラメーターを決定するためのフィールドを含むダウンリンク制御情報を送信し、前記フィールドに基づいて前記伝送パラメーターを決定し、前記伝送パラメーターは、変調方式、伝送ブロックサイズＴＢＳ、レートマッチング後の系列長、冗長バージョン、繰り返し回数のうちの少なくとも１つを含み、前記フィールドは、変調及び符号化方式ＭＣＳ指示フィールド、ＴＢＳ指示フィールド、リソース割り当てフィールド、繰り返し回数指示フィールドのうちの少なくとも１つを含み、前記ＭＣＳ指示フィールドは、符号化変調方式を指示するためのものであり、前記ＴＢＳ指示フィールドは、ＴＢＳを指示するためのものであり、前記リソース割り当てフィールドは、伝送ブロックＴＢのリソースユニットＲＵのリソース割り当てに基づく情報を指示するためのものであり、前記繰り返し回数指示フィールドは、繰り返し伝送回数を指示するためのものであるように構成される基地局と、
前記ダウンリンク制御情報を受信し、前記ダウンリンク制御情報における前記データ共有チャネルの伝送パラメーターを決定するためのフィールドに基づいて前記伝送パラメーターを決定するように構成される端末と、を備える
データ共有チャネルの伝送パラメーターの決定システム。
【国際調査報告】
2019511155.tif 000024
2019511155.tif 000025
2019511155.tif 000026
2019511155.tif 000027